(57)【要約】【課題】  外部の入力装置等にて入力された断片情報と、携帯端末装置にて作成されたコンテクスト情報に基づいて、断片データ及び統合ファイルを作成すること。【解決手段】  携帯端末装置７では、センサ１１から計測された利用者情報に基づいて利用者のコンテクストが推定され、その推定結果に基づいてコンテクスト情報が作成される。断片データ作成装置１では、外部の各入力手段１０において断片情報が入力されると、各入力手段１０から断片情報が取得されて、リクエスト信号が携帯端末装置７へ送信される。携帯端末装置７にてリクエスト信号が受信されると、断片データ作成装置１へコンテクスト情報が送信される。断片データ作成装置１では、断片情報にコンテクスト情報が付加されて断片データが作成される。また、コンテクスト情報に基づいて断片データが編集されて統合ファイルが作成される。【選択図】  図６
2005222502.tif 000002
【特許請求の範囲】
【請求項１】
文字情報、画像情報及び音声情報の少なくとも１つを含む断片情報に付加する付加情報のために、利用者に関する利用者情報を計測するセンサと、
前記センサにより計測された前記利用者情報に基づく前記付加情報を、断片データ作成装置において前記断片情報に付加して断片データを作成するために送信する付加情報送信手段と
を備えることを特徴とする携帯端末装置。
【請求項２】
前記センサは、あらかじめ定められた時間間隔で前記利用者情報を計測し、
前記センサにより計測された最新の前記利用者情報に基づく、最新の前記付加情報を記憶する付加情報記憶手段と、
前記付加情報を要求するリクエスト信号を受信するリクエスト信号受信手段とを備え、
前記付加情報送信手段は、前記リクエスト信号受信手段により前記リクエスト信号が受信された場合、前記付加情報記憶手段が記憶する最新の前記付加情報を要求元に送信することを特徴とする請求項１に記載の携帯端末装置。
【請求項３】
前記センサは、あらかじめ定められた時間間隔で前記利用者情報を計測し、
前記付加情報送信手段は、前記センサにより計測された前記利用者情報に基づく前記付加情報を、ネットワークを介して記憶装置に送信することを特徴とする請求項１に記載の携帯端末装置。
【請求項４】
前記センサは、あらかじめ定められた時間間隔で前記利用者情報を計測し、
前記センサにより計測された最新の前記利用者情報に基づく、最新の前記付加情報を記憶する付加情報記憶手段と、
前記付加情報記憶手段により記憶される最新の付加情報の送信を指示するための付加情報送信指示手段とを備え、
前記付加情報送信手段は、前記付加情報送信指示手段により送信が指示された場合、前記付加情報記憶手段により記憶される最新の前記付加情報を送信することを特徴とする請求項１に記載の携帯端末装置。
【請求項５】
前記センサにより計測された前記利用者情報に基づいて、前記利用者における感情、雰囲気及び状態の少なくとも１つを示すコンテクストを推定するコンテクスト推定手段と、
前記コンテクスト推定手段により推定された前記コンテクストに基づいて、前記付加情報としてのコンテクスト情報を作成するコンテクスト情報作成手段と
を備えることを特徴とする請求項１乃至４のいずれかに記載の携帯端末装置。
【請求項６】
前記利用者情報と前記コンテクストの対応を定義したコンテクスト定義テーブルを備え、
前記コンテクスト推定手段は、前記コンテクスト定義テーブルに基づいて、前記センサから計測された前記利用者情報に対応する前記コンテクストを推定することを特徴とする請求項５に記載の携帯端末装置。
【請求項７】
前記コンテクスト情報作成手段は、前記推定された前記コンテクストの種別と該コンテクストの強弱とを示すコンテクスト情報を作成することを特徴とする請求項５又は６に記載の携帯端末装置。
【請求項８】
前記センサは、前記利用者の体温、心拍数、発汗、呼吸及び加速度の少なくとも１つを計測するものであることを特徴とする請求項１乃至７のいずれかに記載の携帯端末装置。
【請求項９】
文字情報、画像情報及び音声情報の少なくとも１つを含む断片情報を、ネットワークを介して取得するためのインタフェースであるインタフェース手段と、
前記インタフェース手段を介して前記断片情報を取得する断片情報取得手段と、
携帯端末装置から送信された利用者情報に基づく付加情報を受信する付加情報受信手段と、
前記断片情報取得手段により取得された前記断片情報に、前記付加情報受信手段により受信された前記付加情報を付加して、断片データを作成する断片データ作成手段と
を備えることを特徴とする断片データ作成装置。
【請求項１０】
前記断片情報取得手段が前記断片情報を取得した場合、前記付加情報を要求するリクエスト信号を送信するリクエスト信号送信手段を備え、
前記付加情報受信手段は、前記リクエスト信号に応じて送信された前記付加情報を受信することを特徴とする請求項９に記載の断片データ作成装置。
【請求項１１】
前記断片情報取得手段により前記断片情報が取得された日時を計測する断片情報取得タイマと、
前記リクエスト信号送信手段は、前記断片情報取得手段により前記断片情報が取得された場合、前記リクエスト信号と、前記断片情報取得タイマにより取得された日時であるリクエスト日時とを送信することを特徴とする請求項１０に記載の断片データ作成装置。
【請求項１２】
前記インタフェース手段は、ネットワーク上の公開ディレクトリ、メールサーバ及びウェブサーバの少なくとも１つと接続するためのインタフェースであり、若しくは、電話ゲートウエイ又はＦＡＸゲートウエイとの接続を確立してデータ通信を実行するためのインタフェースであることを特徴とする請求項９乃至１１のいずれかに記載の断片データ作成装置。
【請求項１３】
前記断片データの種別に応じて、該断片データのデータ形式を変換するための変換情報を定義したメディア変換テーブルと、
前記メディア変換テーブルに基づいて、前記断片データ作成手段により作成された前記断片データのデータ形式を変換するメディア変換手段と
を備えることを特徴とする請求項９乃至１２のいずれかに記載の断片データ作成装置。
【請求項１４】
前記断片データを記憶する断片データ記憶手段と、
前記断片データ記憶手段に記憶された前記断片データに付加された前記付加情報に基づいて、複数の該断片データを編集して統合ファイルを作成する統合ファイル作成手段と
を備えることを特徴とする請求項９乃至１３のいずれかに記載の断片データ作成装置。
【請求項１５】
前記断片データを編集して統合ファイルを作成するための編集ルールを定める編集ルールテーブルを備え、
前記統合ファイル作成手段は、前記編集ルールテーブルに定められた前記編集ルールと、前記断片データ記憶手段に記憶された前記断片データに付加された前記付加情報とに基づいて、複数の該断片データを編集して前記統合ファイルを作成することを特徴とする請求項１４に記載の断片データ作成装置。
【請求項１６】
前記編集ルールは、前記断片データに付加された前記付加情報に基づいて、該断片データに含まれる前記断片情報の接合順序を定めるものであることを特徴とする請求項１５に記載の断片データ作成装置。
【請求項１７】
請求項１乃至８のいずれかに記載の携帯端末装置と、請求項９乃至１６のいずれかに記載の断片データ作成装置とが、ネットワークを介して接続された断片データ作成システム。
【請求項１８】
利用者における感情、雰囲気及び状態の少なくとも１つを示すコンテクストを示すコンテクスト情報が取得される携帯端末装置と、該携帯端末装置で取得された前記コンテクスト情報が記憶される記憶装置と、該記憶装置に記憶された該コンテクスト情報に基づいて統合ファイルが作成される断片データ作成装置とが、ネットワークを介して接続された統合ファイル作成システムであって、
前記携帯端末装置は、
あらかじめ定められた時間間隔で利用者に関する利用者情報を計測するセンサと、
前記センサにより計測された前記利用者情報に基づいて、前記コンテクストを推定するコンテクスト推定手段と、
前記コンテクスト推定手段により推定された前記コンテクストに基づいて、コンテクスト情報を作成するコンテクスト情報作成手段と、
前記コンテクスト情報作成手段により作成されたコンテクスト情報を前記記憶装置へ送信するコンテクスト情報送信手段とを備え、
前記記憶装置は、
前記携帯端末装置から送信された前記コンテクスト情報を受信するコンテクスト情報受信手段と、
前記コンテクスト情報受信手段によりコンテクスト情報が受信された日時を計測するコンテクスト情報受信タイマと、
前記コンテクスト情報受信手段により受信された前記コンテクスト情報を、前記コンテクスト情報受信タイマが計測した日時に対応付けて記憶するコンテクスト情報記憶手段とを備え、
前記断片データ作成装置は、
文字情報、画像情報及び音声情報の少なくとも１つを含む断片情報を、ネットワークを介して取得するためのインタフェースであるインタフェース手段と、
前記インタフェース手段を介して前記断片情報を取得する断片情報取得手段と、
前記断片情報取得手段により前記断片情報が取得された場合、前記コンテクスト情報を要求するリクエスト信号を、前記記憶装置へ送信するリクエスト信号送信手段と、
前記リクエスト信号に応じて送信された前記コンテクスト情報を受信する第２のコンテクスト情報受信手段と、
前記断片情報取得手段により取得された前記断片情報に、前記コンテクスト情報受信手段により受信された前記コンテクスト情報を付加して、断片データを作成する断片データ作成手段と
前記断片データを記憶する断片データ記憶手段と、
前記断片データを編集して統合ファイルを作成するための編集ルールを定める編集ルールテーブルと、
前記編集ルールテーブルに定められた前記編集ルールと、前記断片データ記憶手段に記憶された前記断片データに付加された前記コンテクスト情報とに基づいて、複数の該断片データを編集して統合ファイルを作成する統合ファイル作成手段とを備え、
前記記憶装置は、更に、
前記断片データ作成装置から送信された前記リクエスト信号を受信するリクエスト信号受信手段と、
前記リクエスト信号受信手段により前記リクエスト信号が受信された場合、前記コンテクスト情報記憶手段に記憶された前記コンテクスト情報を、要求元の前記断片データ作成装置へ送信する第２のコンテクスト情報送信手段と
を備えることを特徴とする統合ファイル作成システム。
【発明の詳細な説明】
【技術分野】
【０００１】
本発明は、断片化されている複数の断片データを編集して統合ファイルを作成する携帯端末装置、断片データ作成装置、断片データ作成システム及び統合ファイル作成システムに関し、詳細には、利用者が異なる時や場所において様々なメディアによって作成した情報であっても、これらの情報に基づいて断片データ及び統合ファイルを作成する携帯端末装置、断片データ作成装置、断片データ作成システム及び統合ファイル作成システムに関する。
【背景技術】
【０００２】
従来、コンピュータ上で取扱われる情報としては、文字、画像（動画を含む）、音声などの様々なメディアのものが存在する。これらの情報が属するメディアの種別は、主に入力装置（入力デバイス）の種類に依存しており、キーボードのような文字入力装置から入力された情報は文字情報として、スキャナやカメラのような画像入力装置から入力された情報は画像情報として、マイクなどの音声入力装置から入力された情報は音声情報として、コンピュータ上で取扱われる。このような様々なメディアの情報を取扱うことができるコンピュータは、一般にマルチメディア装置などと呼ばれる。
【０００３】
そして、各入力装置から入力された情報は、利用者によって情報が入力される毎に、その入力装置又はその入力装置に接続されたコンピュータにおいて、所定のメディア形式による断片化された情報（以下、断片情報）として記憶される。一方で、利用者によっては、これらの複数のメディアによる断片情報を、１つの統合ファイルとして取扱いたい場合もある。その場合には、異なる入力装置やコンピュータに存在する複数の断片情報を１つのコンピュータに集めて、それらの断片情報をつなぎ合わせたり、体裁を整えるなどして、１つの統合ファイルにまとめる作業を行っていた。尚、統合ファイルとは、文書データのみを示すものではなく、文書データ，静止画や動画である画像データ，表計算データ，音声データなどのマルチメディア情報を含むデジタルデータを示す。
【０００４】
ところで、複数の断片情報を編集して１つの統合ファイルを作成する場合、それらの断片情報をどのような体裁で、どのような順序で編集して統合ファイルを作成するかは利用者の任意である。しかし、利用者は各断片情報の内容の他、それらの断片情報に付加された日時等の関連情報も考慮して、統合ファイルを作成するのが通常である。
【０００５】
利用者が入力装置等を用いて作成した断片情報に関連情報を付加する技術としては様々なものが知られており、例えば、カメラにＧＰＳ受信機、方位・傾きセンサ、温度・湿度・気圧センサを設けて、カメラによる撮影が行われて画像データに作成されると、撮影位置や撮影状況などの関連情報が、画像データに対応付けられて記憶される情報記録機能付きカメラが知られている（例えば、特許文献１参照。）。
【特許文献１】特開平８−１８４８９２号公報
【発明の開示】
【発明が解決しようとする課題】
【０００６】
しかしながら、断片情報が入力される入力装置等に、関連情報を付加する機能がない場合には、断片情報と関連情報を対応付けることができなかった。一方、入力装置等に関連情報を付加する機能がある場合には、入力装置等の筐体が大きくなり携帯に不便であるという問題に加え、入力装置等が高価となる問題があった。
【０００７】
本発明は上記課題を解決するためになされたものであり、関連情報を付加する機能がない入力装置やコンピュータにて断片情報が入力されても、その断片情報と関連情報とが対応付けられた断片データを作成でき、また、利用者が携行する装置を小型化及び軽量化して、利用者への負担を低減することができる携帯端末装置、断片データ作成装置、断片データ作成システム及び統合ファイル作成システムを提供することを目的とする。
【課題を解決するための手段】
【０００８】
上記目的を達成するために、請求項１に係る発明の携帯端末装置は、文字情報、画像情報及び音声情報の少なくとも１つを含む断片情報に付加する付加情報のために、利用者に関する利用者情報を計測するセンサと、前記センサにより計測された前記利用者情報に基づく前記付加情報を、断片データ作成装置において前記断片情報に付加して断片データを作成するために送信する付加情報送信手段とを備えている。
【０００９】
また、請求項２に係る発明の携帯端末装置は、請求項１に記載の発明の構成に加え、前記センサは、あらかじめ定められた時間間隔で前記利用者情報を計測し、前記センサにより計測された最新の前記利用者情報に基づく、最新の前記付加情報を記憶する付加情報記憶手段と、前記付加情報を要求するリクエスト信号を受信するリクエスト信号受信手段とを備え、前記付加情報送信手段は、前記リクエスト信号受信手段により前記リクエスト信号が受信された場合、前記付加情報記憶手段が記憶する最新の前記付加情報を要求元に送信することを特徴とする。
【００１０】
また、請求項３に係る発明の携帯端末装置は、請求項１に記載の発明の構成に加え、前記センサは、あらかじめ定められた時間間隔で前記利用者情報を計測し、前記付加情報送信手段は、前記センサにより計測された前記利用者情報に基づく前記付加情報を、ネットワークを介して記憶装置に送信することを特徴とする。
【００１１】
また、請求項４に係る発明の携帯端末装置は、請求項１に記載の発明の構成に加え、前記センサは、あらかじめ定められた時間間隔で前記利用者情報を計測し、前記センサにより計測された最新の前記利用者情報に基づく、最新の前記付加情報を記憶する付加情報記憶手段と、前記付加情報記憶手段により記憶される最新の付加情報の送信を指示するための付加情報送信指示手段とを備え、前記付加情報送信手段は、前記付加情報送信指示手段により送信が指示された場合、前記付加情報記憶手段により記憶される最新の前記付加情報を送信することを特徴とする。
【００１２】
また、請求項５に係る発明の携帯端末装置は、請求項１乃至４のいずれかに記載の発明の構成に加え、前記センサにより計測された前記利用者情報に基づいて、前記利用者における感情、雰囲気及び状態の少なくとも１つを示すコンテクストを推定するコンテクスト推定手段と、前記コンテクスト推定手段により推定された前記コンテクストに基づいて、前記付加情報としてのコンテクスト情報を作成するコンテクスト情報作成手段とを備えている。なお、雰囲気、感情、重要度等のように、事象の文脈や状況の前後関係などを示すものであって、事実や証拠のみでは把握できない抽象的な概念をコンテクストという。
【００１３】
また、請求項６に係る発明の携帯端末装置は、請求項５に記載の発明の構成に加え、前記利用者情報と前記コンテクストの対応を定義したコンテクスト定義テーブルを備え、前記コンテクスト推定手段は、前記コンテクスト定義テーブルに基づいて、前記センサから計測された前記利用者情報に対応する前記コンテクストを推定することを特徴とする。
【００１４】
また、請求項７に係る発明の携帯端末装置は、請求項５又は６に記載の発明の構成に加え、前記コンテクスト情報作成手段は、前記推定された前記コンテクストの種別と該コンテクストの強弱とを示すコンテクスト情報を作成することを特徴とする。
【００１５】
また、請求項８に係る発明の携帯端末装置は、請求項１乃至７のいずれかに記載の発明の構成に加え、前記センサは、前記利用者の体温、心拍数、発汗、呼吸及び加速度の少なくとも１つを計測するものであることを特徴とする。
【００１６】
また、請求項９に係る発明の断片データ作成装置は、文字情報、画像情報及び音声情報の少なくとも１つを含む断片情報を、ネットワークを介して取得するためのインタフェースであるインタフェース手段と、前記インタフェース手段を介して前記断片情報を取得する断片情報取得手段と、携帯端末装置から送信された利用者情報に基づく付加情報を受信する付加情報受信手段と、前記断片情報取得手段により取得された前記断片情報に、前記付加情報受信手段により受信された前記付加情報を付加して、断片データを作成する断片データ作成手段とを備えている。
【００１７】
また、請求項１０に係る発明の断片データ作成装置は、請求項９に記載の発明の構成に加え、前記断片情報取得手段が前記断片情報を取得した場合、前記付加情報を要求するリクエスト信号を送信するリクエスト信号送信手段を備え、前記付加情報受信手段は、前記リクエスト信号に応じて送信された前記付加情報を受信することを特徴とする。
【００１８】
また、請求項１１に係る発明の断片データ作成装置は、請求項１０に記載の発明の構成に加え、前記断片情報取得手段により前記断片情報が取得された日時を計測する断片情報取得タイマと、前記リクエスト信号送信手段は、前記断片情報取得手段により前記断片情報が取得された場合、前記リクエスト信号と、前記断片情報取得タイマにより取得された日時であるリクエスト日時とを送信することを特徴とする。
【００１９】
また、請求項１２に係る発明の断片データ作成装置は、請求項９乃至１１のいずれかにに記載の発明の構成に加え、前記インタフェース手段は、ネットワーク上の公開ディレクトリ、メールサーバ及びウェブサーバの少なくとも１つと接続するためのインタフェースであり、若しくは、電話ゲートウエイ又はＦＡＸゲートウエイとの接続を確立してデータ通信を実行するためのインタフェースであることを特徴とする。
【００２０】
また、請求項１３に係る発明の断片データ作成装置は、請求項９乃至１２のいずれかにに記載の発明の構成に加え、前記断片データの種別に応じて、該断片データのデータ形式を変換するための変換情報を定義したメディア変換テーブルと、前記メディア変換テーブルに基づいて、前記断片データ作成手段により作成された前記断片データのデータ形式を変換するメディア変換手段とを備えている。
【００２１】
また、請求項１４に係る発明の断片データ作成装置は、請求項９乃至１３のいずれかにに記載の発明の構成に加え、前記断片データを記憶する断片データ記憶手段と、前記断片データ記憶手段に記憶された前記断片データに付加された前記付加情報に基づいて、複数の該断片データを編集して統合ファイルを作成する統合ファイル作成手段とを備えている。尚、統合ファイルとは、文書データのみを示すものではなく、文書データ，静止画や動画である画像データ，表計算データ，音声データなどのマルチメディア情報を含むデジタルデータを示す。
【００２２】
また、請求項１５に係る発明の断片データ作成装置は、請求項１４に記載の発明の構成に加え、前記断片データを編集して統合ファイルを作成するための編集ルールを定める編集ルールテーブルを備え、前記統合ファイル作成手段は、前記編集ルールテーブルに定められた前記編集ルールと、前記断片データ記憶手段に記憶された前記断片データに付加された前記付加情報とに基づいて、複数の該断片データを編集して前記統合ファイルを作成することを特徴とする。
【００２３】
また、請求項１６に係る発明の断片データ作成装置は、請求項１５に記載の発明の構成に加え、前記編集ルールは、前記断片データに付加された前記付加情報に基づいて、該断片データに含まれる前記断片情報の接合順序を定めるものであることを特徴とする。
【００２４】
また、請求項１７に係る発明の断片データ作成システムは、請求項１乃至８のいずれかに記載の携帯端末装置と、請求項９乃至１６のいずれかに記載の断片データ作成装置とが、ネットワークを介して接続されている。
【００２５】
また、請求項１８に係る発明の統合ファイル作成システムは、利用者における感情、雰囲気及び状態の少なくとも１つを示すコンテクストを示すコンテクスト情報が取得される携帯端末装置と、該携帯端末装置で取得された前記コンテクスト情報が記憶される記憶装置と、該記憶装置に記憶された該コンテクスト情報に基づいて統合ファイルが作成される断片データ作成装置とが、ネットワークを介して接続された統合ファイル作成システムであって、前記携帯端末装置は、あらかじめ定められた時間間隔で利用者に関する利用者情報を計測するセンサと、前記センサにより計測された前記利用者情報に基づいて、前記コンテクストを推定するコンテクスト推定手段と、前記コンテクスト推定手段により推定された前記コンテクストに基づいて、コンテクスト情報を作成するコンテクスト情報作成手段と、前記コンテクスト情報作成手段により作成されたコンテクスト情報を前記記憶装置へ送信するコンテクスト情報送信手段とを備え、前記記憶装置は、前記携帯端末装置から送信された前記コンテクスト情報を受信するコンテクスト情報受信手段と、前記コンテクスト情報受信手段によりコンテクスト情報が受信された日時を計測するコンテクスト情報受信タイマと、前記コンテクスト情報受信手段により受信された前記コンテクスト情報を、前記コンテクスト情報受信タイマが計測した日時に対応付けて記憶するコンテクスト情報記憶手段とを備え、前記断片データ作成装置は、文字情報、画像情報及び音声情報の少なくとも１つを含む断片情報を、ネットワークを介して取得するためのインタフェースであるインタフェース手段と、前記インタフェース手段を介して前記断片情報を取得する断片情報取得手段と、前記断片情報取得手段により前記断片情報が取得された場合、前記コンテクスト情報を要求するリクエスト信号を、前記記憶装置へ送信するリクエスト信号送信手段と、前記リクエスト信号に応じて送信された前記コンテクスト情報を受信する第２のコンテクスト情報受信手段と、前記断片情報取得手段により取得された前記断片情報に、前記コンテクスト情報受信手段により受信された前記コンテクスト情報を付加して、断片データを作成する断片データ作成手段と前記断片データを記憶する断片データ記憶手段と、前記断片データを編集して統合ファイルを作成するための編集ルールを定める編集ルールテーブルと、前記編集ルールテーブルに定められた前記編集ルールと、前記断片データ記憶手段に記憶された前記断片データに付加された前記コンテクスト情報とに基づいて、複数の該断片データを編集して統合ファイルを作成する統合ファイル作成手段とを備え、前記記憶装置は、更に、前記断片データ作成装置から送信された前記リクエスト信号を受信するリクエスト信号受信手段と、前記リクエスト信号受信手段により前記リクエスト信号が受信された場合、前記コンテクスト情報記憶手段に記憶された前記コンテクスト情報を、要求元の前記断片データ作成装置へ送信する第２のコンテクスト情報送信手段とを備えている。
【発明の効果】
【００２６】
請求項１に係る発明の携帯端末装置では、センサにより計測された利用者情報に基づいて作成された付加情報を断片データ作成装置に送信するので、利用者が携行する装置を小型化する等して、利用者への負担を低減することができ、かつ、関連情報を付加する機能がない入力装置等にて断片情報が入力されても、その断片情報と関連情報とが対応付けられた断片データを作成できる。
【００２７】
また、請求項２に係る発明の携帯端末装置では、請求項１に係る発明の効果に加え、リクエスト信号が受信された場合、最新の付加情報が要求元に送信されるので、要求元の断片データ作成装置は携帯端末装置へ問い合わせることで、最新の断片情報を取得することができる。
【００２８】
また、請求項３に係る発明の携帯端末装置では、請求項１に係る発明の効果に加え、センサにより計測された利用者情報に基づいて作成された付加情報は、ネットワークを介して記憶装置に送信されるので、記憶装置において最新の付加情報が記憶されるようにすることができる。
【００２９】
また、請求項４に係る発明の携帯端末装置では、請求項１に係る発明の効果に加え、付加情報の送信指示がなされた場合、最新の付加情報が要求元に送信されるので、断片データ作成装置は最新の断片情報を取得することができる。
【００３０】
また、請求項５に係る発明の携帯端末装置では、請求項１乃至４のいずれかに係る発明の効果に加え、センサからの利用者情報に基づいて、コンテクスト情報が付加情報として作成されるので、入力時の利用者のコンテクストを関連情報として付加することができる。
【００３１】
また、請求項６に係る発明の携帯端末装置では、請求項５に係る発明の効果に加え、利用者情報とコンテクストの対応を定義したコンテクスト定義テーブルに基づいて利用者のコンテクストが推定されるので、利用者情報に対応したコンテクストを正確に推定できる。
【００３２】
また、請求項７に係る発明の携帯端末装置では、請求項５又は６に係る発明の効果に加え、コンテクスト情報はコンテクストの種別とコンテクストの強弱とを示すので、利用者情報に対応したコンテクストを正確に推定できる。
【００３３】
また、請求項８に係る発明の携帯端末装置では、請求項１乃至７のいずれかに係る発明の効果に加え、センサにより利用者の体温、心拍数、発汗、呼吸及び加速度が計測されるので、利用者情報に対応するコンテクストを正確に推定できる。
【００３４】
また、請求項９に係る発明の断片データ作成装置では、外部の入力装置等において入力された断片情報が取得され、また、携帯端末装置から送信された付加情報が受信されて、その断片情報にその付加情報を付加して断片データが作成されるようにした。よって、関連情報を付加する機能がない入力装置にて作成された断片情報に対して関連情報が対応付けられた断片データを作成できる。
【００３５】
また、請求項１０に係る発明の断片データ作成装置では、請求項９に係る発明の効果に加え、携帯端末装置に対してリクエスト信号を送信して付加情報を要求するので、最新の付加情報を携帯端末装置から取得することができる。
【００３６】
また、請求項１１に係る発明の断片データ作成装置では、請求項１０に係る発明の効果に加え、断片情報が取得された日時を示すリクエスト日時が、リクエスト信号に対応付けられて送信されるので、リクエスト日時に対応する関連情報を取得することができ、関連情報と断片情報を確実に対応付けることができる。
【００３７】
また、請求項１２に係る発明の断片データ作成装置では、請求項９乃至１１のいずれかに係る発明の効果に加え、ネットワーク上の公開ディレクトリ、メールサーバ及びウェブサーバに接続し、あるいは電話ゲートウエイ又はＦＡＸゲートウエイとデータ通信するためのインタフェースによって、外部の入力装置やコンピュータにて入力された断片情報が取得されるようにした。よって、異なる時間や場所において、様々な入力装置にて作成された断片情報に基づいて、断片データを作成することができる。
【００３８】
また、請求項１３に係る発明の断片データ作成装置では、請求項９乃至１２のいずれかに係る発明の効果に加え、メディア変換テーブルに基づいて断片データのデータ形式が変換されるので、最適なデータ形式に変換された断片データを得ることができる。
【００３９】
また、請求項１４に係る発明の断片データ作成装置では、請求項９乃至１３のいずれかに係る発明の効果に加え、複数の断片データを付加情報に基づいて編集して統合ファイルが作成されるので、利用者のコンテクストに基づいて断片データを編集して統合ファイルを作成することができ、利用者の統合ファイル作成の負担と手間を軽減し、利用者のニーズに合致した体裁や順序で統合ファイルを作成できる。
【００４０】
また、請求項１５に係る発明の断片データ作成装置では、請求項１４に係る発明の効果に加え、断片データを編集して統合ファイルを作成するための編集ルールを定める編集ルールテーブルを設けて、この編集ルールと付加情報とに基づいて統合ファイルが作成されるようにした。よって、複数の断片データを任意の編集ルールにより統合ファイルとして編集することができる。
【００４１】
また、請求項１６に係る発明の断片データ作成装置では、請求項１５に係る発明の効果に加え、断片データに含まれる断片情報を最適な順序で接合して統合ファイルを作成できる。
【００４２】
また、請求項１７に係る発明の断片データ作成システムでは、請求項１乃至８のいずれかに記載の携帯端末装置と、請求項９乃至１６のいずれかに記載の断片データ作成装置とが、ネットワークを介して接続されたシステムを実現できる。
【００４３】
また、請求項１８に係る発明の統合ファイル作成システムでは、センサからの利用者情報に基づいてコンテクスト情報が作成される携帯端末装置と、コンテクスト情報が記憶される記憶装置と、外部の入力装置等において入力された断片情報が取得され、かつ、携帯端末装置から送信された付加情報が受信されて、その断片情報にその付加情報を付加して断片データ及び統合ファイルが作成される断片データ作成装置とが、ネットワークを介して接続された構成とした。よって、関連情報を付加する機能がない入力装置にて作成された断片情報に対して関連情報が対応付けられた断片データを作成でき、また、利用者が携行する装置を小型化する等して、利用者への負担を低減することができる。さらに、利用者のコンテクストに基づいて断片データを編集して統合ファイルを作成することができ、利用者の統合ファイル作成の負担と手間を軽減し、利用者のニーズに合致した体裁や順序で統合ファイルを作成できる。
【発明を実施するための最良の形態】
【００４４】
以下、本発明の一実施の形態について説明する。本発明に係る携帯端末装置、断片データ作成装置、断片データ作成システム及び統合ファイル作成システムでは、断片データ作成装置において、ＰＤＡ、携帯電話機などの入力装置等による入力毎に作成される断片情報を、その入力装置等から取得する。一方、携帯端末装置において、利用者の体温，発汗，心拍数等（利用者情報）を各種センサによって計測して、断片情報の作成時における利用者の感情や利用者を取り巻く状況等のコンテクストを推定してコンテクスト情報を作成する。そして、断片データ作成装置において、断片情報にコンテクスト情報を付加して断片データを作成する装置及びシステムである。さらに、各断片情報に付加されたコンテクスト情報に基づいて、複数の断片データを編集して統合ファイルを作成する装置及びシステムである。尚、統合ファイルとは、文書データのみを示すものではなく、文書データ，静止画や動画である画像データ，表計算データ，音声データなどのマルチメディア情報を含むデジタルデータを示す。
【００４５】
第１の実施の形態では、本発明の携帯端末装置、断片データ作成装置、断片データ作成システム及び統合ファイル作成システムの一例として、利用者の体温，発汗，心拍数等（利用者情報）を計測する各種センサが接続された携帯端末装置７と、独立して存在する携帯電話やＰＤＡなどの入力装置等と接続可能である断片データ作成装置１とが、無線通信により接続された統合ファイル作成システムについて、以下説明する。
【００４６】
まず、図１乃至図５を参照して、第１の実施の形態に係る統合ファイル作成システムの構成について説明する。図１は、統合ファイル作成システムの概要を示す図である。図２は、携帯端末装置７の構成を示すブロック図である。図３は、断片データ作成装置１の構成を示すブロック図である。図４は、断片データ作成装置１のＲＡＭ１３０の記憶エリアの構成を示す概念図である。図５は、断片データ作成装置１のＨＤＤ１４０の記憶エリアの構成を示す概念図である。
【００４７】
図１に示すように、小型のコンピュータ機器である携帯端末装置７は、利用者に携帯または装着されている。断片データ作成装置１には、体温センサ、発汗センサ及び心拍数センサなどの複数のセンサが接続されており、これらのセンサの読み取り部は利用者の皮膚等に接触して、適切に利用者情報を計測可能な状態に設けられている。そのため、断片データ作成装置１は常に利用者情報が計測される状態に保持される。本実施の形態においては、携帯端末装置７は腕時計に模した形状であって、利用者の手首に装着されて体温や脈拍等を検出するものである。
【００４８】
利用者は携帯端末装置７を携行しつつ、外部の入力装置又はコンピュータ機器であるＰＤＡ２，携帯電話機３，デジタルカメラ４，ＦＡＸ５，固定電話６を用いて、各装置に断片情報を入力する。例えば、利用者がＰＤＡ２のキー又はスイッチを操作することで、文字情報がＰＤＡ２に入力される。また、利用者がデジタルカメラ４で風景などを撮影して、又はＦＡＸ５から文書を読取り送信させて、画像情報が各々の装置に入力される。また、利用者は携帯電話機３又は固定電話６を用いて通話を行うことで、音声情報が各々の装置に入力される。
【００４９】
利用者が外部の入力装置等を利用すると、各装置において入力された断片情報はネットワークを介して断片データ作成装置１に取得されるが、詳細は後述する。なお、利用者が断片情報を入力する外部の入力装置等としては、上記のものに限定されず、断片データ作成装置１へのデータ転送を確保できれば、スキャナやパーソナルコンピュータなど任意のものが利用可能である。
【００５０】
図２に示すように、携帯端末装置７には、断片データ作成装置１の制御を司るＣＰＵ７１０が設けられている。このＣＰＵ７１０には、バス７１５を介し、ＣＰＵ７１０が実行するＢＩＯＳ等のプログラムを記憶したＲＯＭ７２０と、データを一時的に記憶するＲＡＭ７３０と、データの記憶装置であるハードディスクドライブ（以下、「ＨＤＤ」という。）７４０とが接続されている。また、ＲＡＭ７３０には、各種センサから計測された情報に基づいてコンテクストを推定するためのコンテクスト定義テーブルが記憶されているが、詳細は後述する。さらに、各種機器からの入力の検知を行う入力検知部７８０と、現在日時や時間間隔をカウントするためのタイマ７９０と、アンテナ７９２を介して外部との無線通信を実行し、後述のコンテクスト情報を断片データ作成装置１へ送信する通信制御部７９１とを備えている。
【００５１】
また、入力検知部７８０には、利用者が携帯端末装置７を操作するための入力パネル７８１と、利用者の体温を計測する体温センサ７８２と、利用者の発汗状態を計測するための発汗センサ７８３と、利用者の心拍数を計測するための心拍数センサ７８４とが接続されている。体温センサ７８２、発汗センサ７８３及び心拍数センサ７８４は、有効に利用者の体温、発汗、心拍数を測定できれば、その位置や計測手法は問わないが、好適には、利用者が携帯端末装置７を携帯又は装着した場合、その利用者の皮膚が接触する位置に各センサの読み取り部が設けられている。
【００５２】
図３に示すように、断片データ作成装置１には、断片データ作成装置１の制御を司るＣＰＵ１１０が設けられている。このＣＰＵ１１０には、バス１１５を介し、ＣＰＵ１１０が実行するＢＩＯＳ等のプログラムを記憶したＲＯＭ１２０と、データを一時的に記憶するＲＡＭ１３０と、データの記憶装置であるハードディスクドライブ（以下、「ＨＤＤ」という。）１４０とが接続されている。また、ＲＡＭ１３０には、断片データのデータ形式を変換するためのメディア変換テーブルと、複数の断片データを編集して統合ファイルを作成する際の編集ルールを定めた編集ルールテーブルが記憶されているが、詳細は後述する。
【００５３】
さらに、外部機器との通信を行うためのＵＳＢインタフェース１５０と、利用者に操作画面や各種情報を表示するためのディスプレイ１６１の画面表示処理を行う表示制御部１６０と、利用者が音声入力を行うためのマイク１７１及び音声を出力するためのスピーカ１７２の音声情報の入出力制御のための処理を行う音声制御部１７０と、各種機器から電源スイッチの入力検知を行う入力検知部１８０と、現在日時や時間間隔をカウントするためのタイマ１９０と、無線によるデータ通信を仲介するためのアンテナ１９６が接続されて、一般の公衆電話網（ＰＳＴＮ）又はインターネット網に接続して、データ列と音声信号の相互変換を行なってデータ通信を実行するモデム１９５とが、バス１１５を介してＣＰＵ１１０に接続されている。ＵＳＢインタフェース１５０には、図１に示す各入力装置のうちでＰＤＡ２とデジタルカメラ４が、外部の入力装置等として接続可能である。なお、入力検知部１８０には、利用者が断片データ作成装置１を操作するための入力パネル１８１が接続されている。なお、ディスプレイ１６１，表示制御部１６０，マイク１７１，スピーカ１７２，音声制御部１７０，入力パネル１８１，入力検知部１８０は、断片データ作成装置１に必ずしも必要な構成ではないため、ＵＳＢやネットワークなどのインタフェースを介して、外部の表示装置，マイク，スピーカなどと接続してリモート制御するようにしてもよい。
【００５４】
第１の実施の形態の携帯端末装置７では、コンテクストの推定の際に実行されるモジュールの一つとして携帯端末装置用プログラムが実行され、この携帯端末装置用プログラムはあらかじめＲＯＭ７２０に記憶されている。一方、第１の実施の形態の断片データ作成装置１では、断片情報の取得、断片データの作成、統合ファイルの作成の際に実行されるモジュールとして断片データ作成装置用プログラムが実行され、断片データ作成装置１には、図示外のＣＤ−ＲＯＭドライブ、フロッピー（登録商標）ディスクドライブ、各種インタフェースなども設けられており、導入時には、ＣＤ−ＲＯＭ等の外部の記憶媒体やネットワークを介して外部の記憶装置から、ＨＤＤ１４０上のプログラム記憶エリア１４２や情報記憶エリア１４３（図５参照）に、断片データ作成装置用プログラムがセットアップされて記憶されるようになっている。なお、本発明の統合ファイル作成システムにおける、コンテクストの推定，断片情報の取得，断片データの作成，統合ファイルの作成を実現するためのプログラムが「統合ファイル作成プログラム」であり、携帯端末装置用プログラム及び断片データ作成装置用プログラムも、「統合ファイル作成プログラム」に含まれる。
【００５５】
統合ファイル作成プログラム（断片データ作成装置用プログラム）には、モデム１９５からの信号をデコードして画像に変換するＦＡＸゲートウエイを実現するためのプログラムと、モデム１９５からの信号を音声として出力するＰＳＴＮゲートウエイを実現するためのプログラムとが含まれている。また、統合ファイル作成プログラムには、Ｗｅｂサーバを監視する機能を実現するための巡回プログラムや、Ｍａｉｌサーバを監視する機能を実現するための巡回プログラムも含まれている。
【００５６】
また、本実施の形態において、モデム１９５は公衆電話網（ＰＳＴＮ）と送受信される信号及びインターネット網と送受信される信号を処理でき、公衆電話網（ＰＳＴＮ）及びインターネット網に接続可能とする機能を有するものであるが、公衆電話網（ＰＳＴＮ）への通信部と、インターネット網への通信部とがそれぞれ独立した構成として、断片データ作成装置１に具備されてもよい。また、モデム１９５はアンテナ１９６を介して無線通信を実行するが、有線による接続がされるようにしてもよい。すなわち、外部の入力装置等や携帯端末装置７と有効に接続できればよい。
【００５７】
次に、図４に示すように、断片データ作成装置１のＲＡＭ１３０には、プログラムの実行中の一時的なデータを記憶するワークエリア１３１と、入力された各種情報を一時的に記憶する入力情報記憶エリア１３２と、出力すべき各種情報を一時的に記憶する出力情報記憶エリア１３３とが設けられている。さらに、ＲＡＭ１３０には、図示外の各種記憶エリアが設けられている。
【００５８】
また、図５に示すように、断片データ作成装置１のＨＤＤ１４０には、断片データ作成装置１の動作を制御するためＣＰＵ１１０が実行する各種のプログラム等を記憶したオペレーティングシステム（ＯＳ）記憶エリア１４１と、断片データ作成装置１で実行される各種のプログラムや統合ファイル作成プログラム（断片データ作成装置用プログラム）を記憶したプログラム記憶エリア１４２と、プログラムの実行に必要な設定や初期値、データ等の情報を記憶した情報記憶エリア１４３と、画像、文字及び音声の入力情報である断片情報に基づいて作成された断片データを記憶する断片データ記憶エリア１４４と、断片データに基づいて作成された統合ファイルを記憶する統合ファイル記憶エリア１４５とが設けられている。なお、後述の編集ルールテーブル，メディア変換テーブルなどの各種テーブル情報は、情報記憶エリア１４３に記憶されている。
【００５９】
次に、図６及び図７を参照して、第１の実施の形態に係る統合ファイル作成システムにおける処理の概要について説明する。図６は、統合ファイル作成システムの構成を機能別に示す機能ブロック図である。図７は、統合ファイル作成システムにおけるデータ構成の変遷を示す図である。
【００６０】
図６に示すように、断片データ作成装置１の外部には、画像、文字及び音声の入力情報である断片情報が入力される複数の入力手段１０が存在する。断片データ作成装置１は、各入力手段１０からの断片情報の取り込みを仲介するインタフェース手段２４と、インタフェース手段２４を介して取り込まれた断片情報を取得する断片情報取得手段２５とを備える。
【００６１】
一方、携帯端末装置７には、利用者の体温，発汗，心拍数等の利用者情報を計測する複数のセンサ１１が接続され、センサ１１により計測された利用者情報に基づいて、コンテクスト推定手段１２がコンテクスト定義テーブル１３を参照して、利用者の感情、雰囲気及び状態等を示すコンテクストが推定される。コンテクスト定義テーブル１３には、あらかじめ利用者情報とコンテクストの対応が定義されている。この推定されたコンテクストに基づいて、コンテクスト情報作成手段１４によりコンテクストの種別とその強弱を示すコンテクスト値とを含むコンテクスト情報が作成される。
【００６２】
断片データ作成装置１では、断片情報取得手段２５により断片情報が取得されると、リクエスト信号送信手段３１により所定のリクエスト信号が携帯端末装置７に送信される。携帯端末装置７では、リクエスト信号がリクエスト信号受信手段３２により受信されると、コンテクスト情報送信手段２８により、コンテクスト情報が断片データ作成装置１へ送信される。断片データ作成装置１では、携帯端末装置７から送信されたコンテクスト情報が、コンテクスト情報受信手段２９により受信される。そして、断片データ作成手段１５により、断片情報にコンテクスト情報が付加されて断片データが作成される。作成された断片データは、断片データ記憶手段１６に記憶される。
【００６３】
図７に示すように「断片データ作成」において、入力手段１０から画像、文字及び音声が入力された断片情報２００（断片情報Ａ）は、主にヘッダー部とデータ部から構成されている。この断片情報２００（断片情報Ａ）は、断片情報取得手段２５によりインタフェース手段２４を介して入力手段１０から取得される。また、コンテクスト情報作成手段１４により作成されたコンテクスト情報３００（コンテクスト情報Ａ）が、コンテクスト情報受信手段２９を介して取得される。コンテクスト情報３００（コンテクスト情報Ａ）は、主にヘッダー部とコンテクストデータ部から構成されている。このような断片情報２００（断片情報Ａ）及びコンテクスト情報３００（コンテクスト情報Ａ）から、断片データ作成手段１５により断片データ４００ａ（断片データＡ）が作成される。その結果、断片データ４００ａ（断片データＡ）は、ヘッダー部の他に、データ部とコンテクストデータ部とを含む構成となっている。図７では、断片データ４００として断片データ４００ａ（断片データＡ）の他に、断片データ４００ｂ（断片データＢ），断片データ４００ｃ（断片データＣ），断片データ４００ｄ（断片データＤ）が作成されており、これらの断片データ４００は断片データ記憶手段１６に保存される。このように、入力手段１０において入力された断片情報２００の全てについて、コンテクスト情報受信手段２９により受信されたコンテクスト情報３００が付加されて、断片データ４００が作成される。
【００６４】
図６に戻り、利用者より統合ファイル作成が指示された等の所定のタイミングで、「統合ファイル作成」が実行される。すなわち、統合ファイル作成手段１７により、断片データ記憶手段１６に記憶された複数の断片データ４００を編集して統合ファイル６００を作成する処理が実行される。また、断片データ４００のデータ形式を変換する必要がある場合は、メディア変換手段１８によりデータ形式を変換するための変換情報を定義したメディア変換テーブル１９が参照されて、断片データ４００のデータ形式の変換が実行される。
【００６５】
統合ファイル作成手段１７により断片データ４００が編集される際は、統合ファイルの体裁や順序を定める編集ルールを具備する編集ルールテーブル２０が参照されて、断片データ４００に含まれるコンテクストの情報に基づいて統合ファイル６００が作成される。統合ファイル作成手段１７により作成された統合ファイル６００は、統合ファイル記憶手段２１に保存される。
【００６６】
図７に示すように「統合ファイル作成」においては、統合ファイル作成手段１７により、断片データ記憶手段１６に記憶された断片データ４００ａ，４００ｂ，４００ｃ，４００ｄが編集されて統合ファイル６００が作成される。このとき、統合ファイル６００の体裁や順序を定める編集ルールに基づいて統合ファイル６００が作成されるが、詳細は後述する。なお、図６では統合ファイル６００が作成される過程で縫合データが作成される。断片データ４００ａ及び４００ｃが合成された縫合データ５００ｅ（縫合データＥ）と、断片データ４００ｂ及び４００ｄが合成された縫合データ５００ｆ（縫合データＦ）とが作成されて、この縫合データ５００ｅ及び５００ｆが合成されて統合ファイル６００が作成されている。その結果、統合ファイル６００は、ヘッダー部の他に、各断片データ４００ａ，４００ｂ，４００ｃ，４００ｄのデータ部とコンテクストデータ部とを含む構成となっている。以上のようにして、複数の断片データ４００から統合ファイル６００が作成される。
【００６７】
なお、第１の実施の形態においては、ＰＤＡ２，携帯電話機３，デジタルカメラ４，ＦＡＸ５，固定電話６が、本発明の「入力手段」１０に相当する。また、携帯端末装置７の体温センサ７８２、発汗センサ７８３、心拍数センサ７８４が、本発明の「センサ」１１に相当する。また、断片データ作成装置１において、外部の入力装置等やネットワークに接続されるＵＳＢインタフェース１５０及びモデム１９５が、本発明の「インタフェース手段」２４に相当する。
【００６８】
そして、断片データ作成装置１において、プログラム記憶エリア１４２に記憶されている統合ファイル作成プログラム（断片データ作成装置用プログラム）を実行して後述のフローチャートを処理するＣＰＵ１１０が、本発明の「断片情報取得手段」２５，「断片データ作成手段」１５，「統合ファイル作成手段」１７，「メディア変換手段」１８に相当する。また、携帯端末装置７において、プログラム記憶エリア（図示しない）に記憶されている統合ファイル作成プログラム（携帯端末装置用プログラム）を実行して後述のフローチャートを処理するＣＰＵ７１０が、「コンテクスト推定手段」１２，「コンテクスト情報作成手段」１４に相当する。
【００６９】
また、断片データ作成装置１において、本発明の「編集ルールテーブル」２０及び「メディア変換テーブル」１９は、ＨＤＤ１４０の情報記憶エリア１４３に各々の記憶領域が確保されている。また、ＨＤＤ１４０の断片データ記憶エリア１４４が、本発明の「断片データ記憶手段」１６に相当し、ＨＤＤ１４０の統合ファイル記憶エリア１４５が、本発明の「統合ファイル記憶手段」２１に相当する（図６参照）。また、携帯端末装置７において、本発明の「コンテクスト定義テーブル」１３は、ＨＤＤ７４０の情報記憶エリア（図示しない）に記憶領域が確保されている。
【００７０】
また、携帯端末装置７の通信制御部７９１が、本発明の「コンテクスト情報送信手段」２８に相当し、断片データ作成装置１のモデム１９５が、本発明の「コンテクスト情報受信手段」２９に相当する。
【００７１】
以下、本発明の統合ファイル作成システムにおける処理の流れを、図面を参照して説明する。本システムでは、［１］各種センサから計測された利用者情報に基づいてコンテクストを推定してコンテクスト情報を作成する処理（コンテクスト推定処理）、［２］外部の入力手段から断片情報を取得する処理（断片情報取得処理）、［３］各種入力手段から断片情報が入力されると、その断片情報にコンテクスト情報を付加して断片データを作成する処理（断片データ作成処理）、［４］複数の断片データを編集して統合ファイルを作成する処理（統合ファイル作成処理）、が主要な処理として実行される。
【００７２】
これらの処理により、外部の入力装置等から取得された音声、画像、文字などの各種の断片情報が、携帯端末装置７において推定された雰囲気、感情、重要度などのコンテクストに基づいて編集されて、利用者のコンテクストを反映した１つの統合ファイルが作成される。以下では、一例として、コンテクストが「感動」であるものとし、断片情報を入力した当時の利用者の「感動」の度合いによって、統合ファイルが作成される場合を説明する。
【００７３】
まず、［１］コンテクスト推定処理について、図８乃至図１３を参照して説明する。図８は、コンテクスト推定処理のメインフローチャートである。図９は、キャリブレーション処理（Ｓ１４）の詳細を示すフローチャートである。図１０は、計測処理（Ｓ１５）の詳細を示すフローチャートである。図１１は、推定処理（Ｓ１６）の詳細を示すフローチャートである。図１２は、コンテクスト定義テーブル１３の概要を示す図である。図１３は、Ｓ１７で作成されたコンテクスト情報３００のデータ構成を示す図である。なお、コンテクスト推定処理は、携帯端末装置７の電源がＯＮされて起動されると、その処理が開始されて、携帯端末装置７が起動している間は継続的に実行されるものとする。
【００７４】
図８に示すように、まず、利用者から利用者情報を計測するための各種センサが初期化される（Ｓ１１）。本実施の形態においては、体温センサ７８２，発汗センサ７８３，心拍数センサ７８４が設けられており、それぞれ利用者の体温，発汗，心拍数を利用者情報として計測する。そして、携帯端末装置７が起動されると、Ｓ１１ではこれらのセンサが初期化される。
【００７５】
そして、所定の測定間隔時間がタイマ７９０にセットされる（Ｓ１２）。測定間隔時間は、後述のキャリブレーション処理（Ｓ１４）においてキャリブレーション測定が実行される時間間隔である。Ｓ１２ではあらかじめ定められた値が、測定間隔時間としてセットされるが、利用者又は設計者が任意の値を設定するようにしてもよい。また、所定の計測間隔時間がタイマ７９０にセットされる（Ｓ１３）。計測間隔時間は、後述の計測処理（Ｓ１５）が実行される時間間隔である。この計測間隔時間も、測定間隔時間と同様に、利用者又は設計者が任意の値を設定するようにしてもよい。
【００７６】
次に、各種タイマによる計測値の平均である基準値を取得するためのキャリブレーション処理が実行される（Ｓ１４）。
【００７７】
図９に示すように、まず測定回数の初期化がなされ（Ｓ２１）、このキャリブレーション処理が実行されるキャリブレーション時間がタイマ７９０にセットされる（Ｓ２２）。Ｓ２２ではあらかじめ定められた値が、キャリブレーション時間としてセットされるが、利用者又は設計者が任意の値を設定するようにしてもよい。
【００７８】
そして、キャリブレーション時間を終了（経過）しておらず（Ｓ２３：ＮＯ）、かつ、コンテクスト推定処理（図８参照）のＳ１２で設定された測定間隔時間が終了（経過）していれば（Ｓ２４：ＹＥＳ）、各センサの出力が測定される（Ｓ２５）。本実施の形態においては、体温センサ７８２，発汗センサ７８３，心拍数センサ７８４が設けられているから、それぞれ利用者の体温，発汗，心拍数について出力された計測値が取得される。なお、測定間隔時間が終了（経過）していない場合は（Ｓ２４：ＮＯ）、測定間隔時間が終了（経過）するまで、Ｓ２４において待ち状態となる。その後、測定回数が増加されて（Ｓ２６）、Ｓ２３へ戻る。
【００７９】
そして、Ｓ２３でキャリブレーション時間を終了（経過）していない場合には（Ｓ２３：ＮＯ）、再び、測定間隔時間の経過後（Ｓ２４：ＹＥＳ）、各センサの出力が測定される（Ｓ２５）。このように、Ｓ２２においてセットされたキャリブレーション時間が終了（経過）するまで、測定間隔時間毎に各センサの出力の測定が繰り返される（Ｓ２３〜Ｓ２６）。
【００８０】
一方、キャリブレーション時間の経過後は（Ｓ２３：ＹＥＳ）、各センサ毎の測定値の平均値が算出される（Ｓ２７）。例えば、体温センサ７８２により測定間隔時間毎に測定された複数の体温の測定値を全て加算し、その加算値をＳ２６により取得された測定回数で除算する等して、体温センサ７８２の測定値の平均値が算出される。そして、Ｓ２７で算出された各センサの基準値は、ＲＡＭ７３０に設けられた基準値エリア（図示外）に保存される（Ｓ２８）。
【００８１】
その後、図８に戻り、各センサが利用者から利用者情報を計測する計測処理が実行される（Ｓ１５）。
【００８２】
図１０に示すように、まず計測回数の初期化がなされ（Ｓ３１）、計測回数のセットがなされた後（Ｓ３２）、各センサの出力が計測される（Ｓ３３）。そして、Ｓ３３による各センサの計測値から、ＲＡＭ７３０に設けられた基準値エリアに記憶された各センサの基準値が減算された増分値が算出される（Ｓ３４）。例えば、Ｓ３３において、体温センサ７８２により現在の利用者の体温が計測値３６．５℃として計測された場合に、体温センサ７８２の基準値３６．０℃であれば、増分値０．５℃が算出されることになる。その後、計測回数が増加されて（Ｓ３５）、Ｓ３２でセットされた計測回数が終了していなければ（Ｓ３６：ＮＯ）、その計測回数を終了するまで、各センサの出力の測定が繰り返される（Ｓ３３〜Ｓ３６）。Ｓ３４においては、１回の計測毎の増分値がその都度前回までの増分値に加算されていく。Ｓ３２でセットされた計測回数が終了すると（Ｓ３６：ＹＥＳ）、Ｓ３２によりセットされた計測回数で、各センサ毎に増分値を除算して、各センサ毎の増分値の平均値が算出される（Ｓ３７）。
【００８３】
その後、図８に戻り、利用者のコンテクストを推定するコンテクスト推定処理が実行される（Ｓ１６）。
【００８４】
図１１に示すように、まず、各センサから利用者情報の状態変化を示すフラグである状態変数がクリアされる（Ｓ４１）。本実施の形態では、体温センサ７８２が計測する体温についての第２ｂｉｔ、発汗センサ１８３が計測する発汗についての第１ｂｉｔ、心拍数センサ１８４が計測する心拍数についての第０ｂｉｔ、の３つのビットを状態変数として有している。そして、計測処理（Ｓ１５）で算出された各センサ毎の増分値の平均値に基づいて、利用者情報の変化を判定する。
【００８５】
最初に、体温センサ７８２から計測された体温の増分値の平均値（体温増分値）と、体温に関する基準値（体温閾値）とが比較される（Ｓ４２）。基準値（閾値）は、キャリブレーション処理（図９）のＳ２８で、各センサの基準値エリアに保存された値である。その結果、体温増分値が体温閾値よりも大きければ（Ｓ４２：ＹＥＳ）、第２ｂｉｔが「ＯＮ」にセットされる（Ｓ４３）。一方、体温増分値が体温閾値よりも大きくない場合（Ｓ４２：ＮＯ）、そのまま次のステップ（Ｓ４４）へ進む。同様に、発汗センサ７８３が計測する発汗についても、その増分値の平均値（発汗増分値）と発汗に関する基準値（発汗閾値）とが比較され（Ｓ４４）、その結果、発汗増分値が発汗閾値よりも大きければ（Ｓ４４：ＹＥＳ）、第１ｂｉｔが「ＯＮ」にセットされる（Ｓ４５）。一方、発汗増分値が発汗閾値よりも大きくない場合（Ｓ４４：ＮＯ）、そのまま次のステップ（Ｓ４６）へ進む。また、心拍数センサ７８４が計測する心拍数についても、その増分値の平均値（心拍数増分値）と心拍数に関する基準値（心拍数閾値）とが比較され（Ｓ４６）、その結果、心拍数増分値が心拍数閾値よりも大きければ（Ｓ４６：ＹＥＳ）、第０ｂｉｔが「ＯＮ」にセットされる（Ｓ４７）。一方、心拍数増分値が心拍数閾値よりも大きくない場合（Ｓ４６：ＮＯ）、そのまま次のステップ（Ｓ４８）へ進む。
【００８６】
その後、状態変数の第２ｂｉｔ，第１ｂｉｔ，第０ｂｉｔまでのパターンに対応するコンテクスト種別及びコンテクスト値が、コンテクスト定義テーブル１３から取得される（Ｓ４８）。図１２に示すように、コンテクスト定義テーブル１３は、コンテクストの種別を示すコンテクスト種別１３ａと、各センサにより計測された利用者情報の変化状態を示すセンサ状態１３ｂと、利用者のコンテクストの強弱を数値で示すコンテクスト値１３ｃとをデータ項目として具備している。そして、各々のデータ項目の対応を、テーブル形式で定義している。先述のように、本実施の形態では利用者のコンテクスト「感動」に基づいて統合ファイルが作成されるから、参照されるコンテクスト定義テーブル１３もコンテクスト「感動」に関するものである。よって、そのコンテクスト種別１３ａは「感動」に関するコンテクストの種別が定義されており、利用者の「感動」の強弱によって「大興奮」から「無感動（平常）」までの複数のコンテクストの種別が存在している。また、その「感動」の強弱を数値で表したコンテクスト値１３ｃが定義され、例えば、コンテクスト種別１３ａが「大興奮」であれば、そのコンテクスト値１３ｃは最大値の「１００」である。なお、図１２に示すコンテクスト定義テーブル１３は、コンテクスト「感動」に関するものであるから、コンテクスト値１３ｃは感動値（Ｅ）とも表示される。
【００８７】
そして、Ｓ４８では、Ｓ４２〜Ｓ４７によりセットされた状態変数によってセンサ状態１３ｂが特定されるから、このセンサ状態１３ｂに対応するコンテクスト種別１３ａやコンテクスト値１３ｃが取得される。なお、第２ｂｉｔ〜第０ｂｉｔが、それぞれ「ＯＮ」がセットされている場合には、センサ状態１３ｂにおいては「ＵＰ」と判定される。例えば、第２ｂｉｔ「ＯＮ」，第１ｂｉｔ「ＯＮ」，第０ｂｉｔ「ＯＦＦ」の場合は、コンテクスト種別１３ａ「混乱」でコンテクスト値１３ｃ「１０」が、コンテクスト定義テーブル１３を参照して取得される。
【００８８】
その後、図８に戻り、推定処理（Ｓ１６）で取得されたコンテクスト種別１３ａ及びコンテクスト値１３ｃに基づいて、所定のヘッダー部などを付加したコンテクスト情報３００が作成されて（Ｓ１７）、ＲＡＭ７３０のコンテクスト情報記憶エリア（図示しない）に保存される（Ｓ１８）。コンテクスト情報３００の保存については、前回のコンテクスト情報３００に上書き保存してもよいし、ＨＤＤ７４０にログとして過去から現在までのコンテクスト情報３００を保存してもよい。すなわち、最新のコンテクスト情報３００が参照できるのであれば、いずれの保存形態でもよい。なお、本実施の形態では、ＲＡＭ７３０のコンテクスト情報記憶エリアに、最新のコンテクスト情報３００のみが記憶されるものとする。
【００８９】
図１３に示すように、コンテクスト情報３００は、データの各種特性を示す詳細情報が格納されたコンテクストヘッダー部３０１と、データの本体部であるコンテクストデータ部３０４とから構成される。コンテクストヘッダー部３０１には、コンテクストヘッダー部３０１のサイズ情報３０２、コンテクストデータ部３０４のサイズ情報３０３とが含まれている。また、コンテクストデータ部３０４には、Ｓ４８で取得されたコンテクスト種別１３ａとコンテクスト値１３ｃとが含まれている。
【００９０】
その後、Ｓ１２でセットされた計測間隔時間を終了（経過）していれば（Ｓ１９：ＹＥＳ）、Ｓ１５に戻り、最新のコンテクスト情報３００を取得する処理が繰り返される（Ｓ１５〜Ｓ１８）。一方、計測間隔時間を終了（経過）していなければ（Ｓ１９：ＮＯ）、Ｓ１９において待ち状態となる。以上のように、携帯端末装置７が動作している間は、ＲＡＭ７３０のコンテクスト情報記憶エリアには、最新の利用者のコンテクスト情報３００が記憶される。
【００９１】
次に、［２］断片情報取得処理について、図１４乃至図１８を参照して説明する。図１４は、入力装置等の種類とメディア種類とに応じた断片情報取得方法を説明するためのテーブル図である。図１５は、ファイル転送による断片情報取得処理の詳細を示すフローチャートである。図１６は、Ｗｅｂサーバ経由による断片情報取得処理の詳細を示すフローチャートである。図１７は、Ｍａｉｌサーバ経由による断片情報取得処理の詳細を示すフローチャートである。図１８は、ＦＡＸゲートウエイ又はＰＳＴＮゲートウエイ経由による断片情報取得処理の詳細を示すフローチャートである。
【００９２】
この断片情報取得処理の前提として、ＰＤＡ２，携帯電話機３，デジタルカメラ４，ＦＡＸ５，固定電話６等において、利用者が音声，画像，文字の断片情報２００を入力した場合、各入力装置等では入力された断片情報２００を送信するデータ送信処理が実行される。このデータ送信処理における送信方法及び送信先は、入力装置等の種類（デバイス種類）や、利用者により入力された断片情報２００の種類（メディア種類）によって異なる。
【００９３】
例えば、図１４に示すように、入力装置等の「デバイス種類」が「ＰＤＡ」の場合には、断片情報２００の「メディア種類」を問わずに、「ファイル転送」，「Ｗｅｂサーバへのアップロード」，「メール送信」のいずれかのデータ送信処理が実行される。また、入力装置等の「デバイス種類」が「デジタルカメラ」の場合には、断片情報２００の「メディア種類」は「画像」に限られ、その送信方法は「ファイル転送」のみである。また、入力装置等の「デバイス種類」が「固定電話」の場合、断片情報２００の「メディア種類」は「音声」に限られ、その送信方法は「ＰＳＴＮゲートウエイへの電話」のみである。
【００９４】
このように、各入力装置等では、そのデバイス種類やメディア種類に応じて、断片情報２００が適切に送信処理される。一方、この入力装置等によるデータ送信処理の送信方法及び送信先によって、断片データ作成装置１による断片情報２００の取得態様が異なる。以下では、各データ送信処理の内容毎に、断片データ作成装置１による断片情報取得処理の詳細を説明する。
【００９５】
各入力装置等により「ファイル転送」で断片情報２００が送信される場合、すなわち各入力装置等と断片データ作成装置１とが有線又は無線により接続されて、各入力装置等から断片データ作成装置１へ直接断片情報２００が転送されると、断片データ作成装置１では以下処理がなされる。図１５に示すように、断片データ作成装置１では入力装置等とリンクが確立されると（Ｓ３０１：ＹＥＳ）、入力装置等から送信された断片情報２００が受信され（Ｓ３０２）、その断片情報２００が入力情報記憶エリア（図４参照）に保存される（Ｓ３０３）。リンクが確立されなければ（Ｓ３０１：ＮＯ）、Ｓ３０１において待ち状態とされる。
【００９６】
例えば、デジタルカメラ４と断片データ作成装置１とが、ＵＳＢインタフェース１５０を介して有線接続されている場合、利用者がデジタルカメラ４で撮影を行うと、デジタルカメラ４に画像データ（断片情報２００）が入力される。そして、このＵＳＢインタフェース１５０を介してデジタルカメラ４から断片データ作成装置１に断片情報２００が転送される。なお、入力装置等と断片データ作成装置１とが、ブルートゥースなどで無線接続されてファイル転送されるようにしてもよい。
【００９７】
次に、各入力装置等により「Ｗｅｂサーバへのアップロード」で断片情報２００が送信される場合、すなわちインターネット網を介して接続された所定のＷｅｂサーバに、各入力装置等により断片情報２００が記録（アップロード）されると、断片データ作成装置１では以下処理がなされる。図１６に示すように、断片データ作成装置１では所定のＷｅｂサーバのアップロードディレクトリが定期的に監視される（Ｓ３１１）。アップロードディレクトリは、アップロードされた断片情報２００が記録されるＷｅｂサーバの記憶領域を示すものであり、断片データ作成装置１ではこのアップロードディレクトリが監視されて、Ｗｅｂサーバでの断片情報２００のアップロードを検知する。その結果、アップロードディレクトリに断片情報２００があれば（Ｓ３１２：ＹＥＳ）、インターネット網を介して当該断片情報２００が取得されて、入力情報記憶エリア（図４参照）に保存される（Ｓ３１３）。断片情報２００がなければ（Ｓ３１２：ＮＯ）、Ｓ３１１へ戻ってアップロードディレクトリの監視がなされる。
【００９８】
例えば、利用者が携帯電話機３から文字等の断片情報２００を入力すると、その携帯電話機３はインターネット網に接続して、所定のＷｅｂサーバにその断片情報２００をアップロードする。断片データ作成装置１では、アップロードディレクトリの監視によって、断片情報２００のアップロードが検出されて、当該Ｗｅｂサーバに記憶された断片情報２００は、インターネット網を経由してモデム１９５を介して断片データ作成装置１に取得される。
【００９９】
なお、各入力装置等により断片情報２００がＬＡＮ上で共有されているネットワーク公開ディレクトリにアップロードされるようにしてもよい。その場合の断片データ作成装置１の処理も、上記と同様である。
【０１００】
次に、各入力装置等により「メール送信」で断片情報２００が送信される場合、すなわち断片データ作成装置１に固有のメールアドレスに宛てて、各入力装置等により断片情報２００が付加されたメールが送信されると、断片データ作成装置１では以下処理がなされる。各入力装置等により送信されたメールはＭａｉｌサーバを経由して、断片データ作成装置１の受信トレイに転送される。そして、図１７に示すように、断片データ作成装置１では受信トレイにメールがあれば（Ｓ３２１：ＹＥＳ）、そのメールが受信トレイから読出され（Ｓ３２２）、メールからヘッダー部などが取り除かれて断片情報２００が取出され（Ｓ３２３）、断片情報２００が入力情報記憶エリア（図４参照）に保存される（Ｓ３２４）。受信トレイにメールがなければ（Ｓ３２１：ＮＯ）、Ｓ３２１に戻りメールの受信待ち状態となる。
【０１０１】
例えば、利用者がＰＤＡ２から文字等の断片情報２００を入力すると、ＰＤＡではその断片情報２００を添付したメールが、断片データ作成装置１に宛てて送信される。送信されたメールは、Ｍａｉｌサーバを経由して断片データ作成装置１の受信トレイに格納される。断片データ作成装置１では、受信トレイに格納されたメールから断片情報２００が取り出されることで、断片情報２００が取得される。
【０１０２】
次に、各入力装置等により「ＰＳＴＮゲートウエイへの電話」又は「ＦＡＸゲートウエイへの送信」で断片情報２００が送信される場合、すなわち断片データ作成装置１に固有の電話番号に宛てて、各入力装置等により電話通話又はＦＡＸ送信がされると、断片データ作成装置１では以下処理がなされる。図１８に示すように、断片データ作成装置１では着信があると（Ｓ３３１：ＹＥＳ）、その着信がＦＡＸ送信によるものであれば（Ｓ３３２：ＹＥＳ）、受信される音声が画像データにデコードされて（Ｓ３３３）、そのデコードされた画像データが断片情報２００として入力情報記憶エリア（図４参照）に保存される（Ｓ３３４）。そして、着信元との通信が切断されていなければ（Ｓ３３５：ＮＯ）、Ｓ３３３へ戻り音声のデコードを継続する。一方、着信がＦＡＸ送信によるものでなく（Ｓ３３２：ＮＯ）、電話通話によるものであれば（Ｓ３３６：ＹＥＳ）、受信される音声が音声データにデコードされて（Ｓ３３７）、そのデコードされた音声データが断片情報２００として入力情報記憶エリア（図４参照）に保存される（Ｓ３３８）。そして、着信元との通信が切断されていなければ（Ｓ３３９：ＮＯ）、Ｓ３３７へ戻り音声のデコードを継続する。なお、着信元との通信が切断され（Ｓ３３５：ＹＥＳ，Ｓ３３９：ＹＥＳ）、又は着信が電話通信でもＦＡＸ送信でもなければ（Ｓ３３２：ＮＯ，Ｓ３３６：ＮＯ）、一定時間のウエイトがなされた後に（Ｓ３４０）、Ｓ３３１に戻る。同様に、着信がない場合も（Ｓ３３１：ＮＯ），一定時間のウエイトがなされた後に（Ｓ３４０）、Ｓ３３１に戻り、着信待ち状態となる。
【０１０３】
例えば、利用者がＦＡＸ５から断片データ作成装置１の電話番号に宛てて、電話通話又はＦＡＸ送信を実行した場合、エンコードされた音声信号が公衆電話網（ＰＳＴＮ）を経由して、断片データ作成装置１のＦＡＸゲートウエイ又はＰＳＴＮゲートウエイに着信及び送信される。断片データ作成装置１では、ＦＡＸゲートウエイ又はＰＳＴＮゲートウエイにて音声信号が断片情報２００にデコードされることで、断片情報２００が取得される。
【０１０４】
以上のように、利用者が外部の各入力装置等において画像，音声，文字の断片情報２００を入力した場合であっても、断片データ作成装置１は各入力装置等から断片情報２００を取得することができる。
【０１０５】
次に、［３］断片データ作成処理について、図１９乃至図２３を参照して説明する。図１９は、断片情報２００のデータ構成を示す図である。図２０は、断片データ作成処理のメインフローチャートである。図２１は、コンテクスト情報のリクエスト実行処理（Ｓ７４）の詳細を示すフローチャートである。図２２は、断片データ作成実行処理（Ｓ７５）の詳細を示すフローチャートである。図２３は、断片データ４００のデータ構成を示す図である。
【０１０６】
本処理の前提として、利用者が外部の各入力装置において入力した断片情報２００が、［２］断片情報取得処理（図１４〜図１８）により取得されて、断片データ作成装置１に記憶されたものとする。すなわち、断片データ作成装置１の外部に存在するＰＤＡ２，携帯電話機３，デジタルカメラ４，ＦＡＸ５，固定電話６などの入力手段において入力された断片情報２００が、断片データ作成装置１により収集されて、ＲＡＭ１３０の入力情報記憶エリア１３２（図４参照）に格納されたものとする。
【０１０７】
図１９に示すように、断片情報２００は、データの各種特性を示す詳細情報が格納されたヘッダー部２０１と、データの本体部であるデータ部２０６とから構成される。ヘッダー部２０１には、ヘッダー部２０１のサイズ情報２０２と、データ部２０６のサイズ情報２０３と、データ部２０６のメディア種類２０４と、データ部２０６のフォーマット情報２０５とが含まれている。また、データ部２０６には、文字、画像又は音声の入力されたデータ本体が格納されている。
【０１０８】
そして、断片データ作成処理では、入力情報記憶エリア１３２に断片情報２００が格納されると、断片データ４００の作成が実行されるものとして、以下説明を続ける。
【０１０９】
図２０に示すように、まず、あらかじめ定められた監視インターバル時間がセットされる（Ｓ７１）。本実施の形態では、一定間隔ごとに入力情報記憶エリア１３２に格納された断片情報２００を検知するところ、監視インターバル時間はこの検知処理が実行される時間間隔を定める。そして、Ｓ７１でセットされた監視インターバル時間が終了（経過）していれば（Ｓ７２：ＹＥＳ）、入力情報記憶エリア１３２に未処理の断片情報２００があるかを判定する（Ｓ７３）。断片情報２００の処理済又は未処理の判定は、断片情報２００のファイル名に基づいて行う。具体的には、処理済の断片情報２００は、そのファイル名の先頭に「ｄｏｎｅ＿」という識別子が付与されるようにして、Ｓ７３ではファイル名に「ｄｏｎｅ＿」が付与されていないファイルの断片情報２００は、未処理であると判定する。
【０１１０】
未処理の断片情報２００が入力情報記憶エリア１３２に存在すると判定された場合（Ｓ７３：ＹＥＳ）、コンテクスト情報のリクエスト実行処理（Ｓ７４）が実行される。一方、監視インターバル時間を終了（経過）していない場合（Ｓ７２：ＮＯ）、または未処理の断片情報２００が入力情報記憶エリア１３２に存在しないと判定された場合（Ｓ７３：ＮＯ）、Ｓ７２において監視インターバル時間の終了（経過）の待ち状態となる。
【０１１１】
図２１に示すように、コンテクスト情報のリクエスト実行処理（Ｓ７４）では、断片データ作成装置１より、コンテクスト情報のリクエスト信号が携帯端末装置７に送信される（Ｓ２０１）。このリクエスト信号を受信すると（Ｓ２０２）、携帯端末装置７では、ＲＡＭ７３０のコンテクスト情報記憶エリアに記憶されたコンテクスト情報３００が読み出され（Ｓ２０３）、このコンテクスト情報３００は要求元の断片データ作成装置１に送信される（Ｓ２０４）。断片データ作成装置１では、携帯端末装置７から送信されたコンテクスト情報３００を受信すると（Ｓ２０５）、このコンテクスト情報３００はＲＡＭ１３０の入力情報記憶エリア１３２（図４参照）に保存される（Ｓ２０６）。以上のように、断片データ作成装置１はコンテクスト情報のリクエスト信号を携帯端末装置７に送信することで、最新の利用者のコンテクスト情報３００を取得することができる。
【０１１２】
次に、図２２に示すように、断片データ作成実行処理（Ｓ７５）では、Ｓ７３において未処理と判定された断片情報２００が読込まれ（Ｓ８１）、また、Ｓ２０６で入力情報記憶エリア１３２に保存されたコンテクスト情報３００が読込まれる（Ｓ８２）。そして、Ｓ８１で読込まれた断片情報２００と、Ｓ８２で読込まれたコンテクスト情報３００とに基づいて、断片データ４００が作成される（Ｓ８３）。Ｓ８３では、作成される断片データ４００のヘッダー部が、断片情報２００のヘッダー部２０１の情報と、コンテクスト情報３００のコンテクストヘッダー部３０１の情報とを含むように作成される。また、断片データ４００のデータ部が、断片情報２００のデータ部２０６の情報と、コンテクスト情報３００のコンテクストデータ部３０４の情報とを含むように作成される。
【０１１３】
その結果、図２３に示すように、断片データ４００は、データの各種特性を示す詳細情報が格納された断片データヘッダー部４０１と、データの本体部である断片データデータ部４０４とから構成される。断片データヘッダー部４０１には、断片データヘッダー部４０１のサイズ情報４０２と、断片データ４００の作成時刻情報４０３と、データ部２０６０のサイズ情報２０３、データ部２０６のメディア種類２０４と、データ部２０６のフォーマット情報２０５と、コンテクストデータ部３０４のサイズ情報３０３が含まれている。また、断片データデータ部４０４には、コンテクストデータ部３０４とデータ部２０６が含まれている。なお、先述の断片情報２００及びコンテクスト情報３００と、実質的に同一のデータには同一符号が付与されている（図１３及び図１９参照）。
【０１１４】
以上のようにして、Ｓ８３で作成された断片データ４００は、ＨＤＤ１４０の断片データ記憶エリア１４４に保存される（Ｓ８４）。その後、図２０に戻り、断片情報２００のリネームが実行される（Ｓ７６）。すなわち、上記の処理を実行した断片情報２００については、そのファイル名の先頭に「ｄｏｎｅ＿」という識別子が付与される。これにより、「ｄｏｎｅ＿」という識別が付与されてリネームされた断片情報２００は、Ｓ７３の判定処理において処理済と判定されて、断片データ作成の対象とならないようにしている。
【０１１５】
以上のように、利用者から文字、音声、画像などの断片情報２００の入力があった場合には、それが異なる場所や時間に入力されたものであっても、携帯端末装置７から取得した最新の利用者のコンテクスト情報３００と、入力装置等で入力された断片情報２００とを対応付けて、断片データ４００が作成される。
【０１１６】
次に、［４］統合ファイル作成処理について、図２４乃至図３０を参照して説明する。図２４は、統合ファイル作成処理のメインフローチャートである。図２５は、断片データリスト９００のデータ構成を示す図である。図２６は、メディア変換テーブル１９の概要を示す図である。図２７は、「Ｘ文」作成処理（Ｓ１０３，Ｓ１０４，Ｓ１０５，Ｓ１０６）の詳細を示すフローチャートである。図２８は、編集ルールテーブル２０のデータ構成を示す図である。図２９は、「Ｘ文」構成リスト９１０のデータ構成を示す図である。図３０は、統合ファイル６００のデータ構成を示す図である。
【０１１７】
なお、統合ファイル作成処理は、断片データ作成装置１において入力パネル１８１などから統合ファイル作成が指示された場合に、その処理が開始されるものとする。また、本実施の形態では、複数の断片データ４００を並べ替えて編集することによって１つの統合ファイルを作成する場合を説明する。また、本実施の形態では、「序文」、「主文」、「跋文」、「補足文」の４つのセクションから構成される統合ファイルが、複数の断片データ４００から作成される場合を、一例として説明する。
【０１１８】
図２４に示すように、まず、ＨＤＤ１４０の断片データ記憶エリア１４４内の断片データリスト９００が作成される（Ｓ１０１）。断片データリスト９００は、断片データ記憶エリア１４４に保存された断片データ４００を一覧表示するためのインデックスであり、Ｓ１０１により、図２５のような断片データリスト９００が作成される。図２５では、断片データ記憶エリア１４４に保存されているｎ個の断片データ４００が示されている。
【０１１９】
次に、メディアの変換先が指定される（Ｓ１０２）。断片データ４００のデータ部２０６（図２３参照）は、音声、画像、文字などの様々なメディア種類２０４のものがあり、また同じメディア種類２０４であってもフォーマット情報２０５が異なる場合がある。また、利用者が統合ファイルに使用したいメディア種類やフォーマット情報などが、断片データ４００（データ部２０６）のメディア種類２０４やフォーマット情報２０５などと異なる場合がある。そこで、統合ファイル６００が作成される前に、断片データ４００（データ部２０６）をどのようなメディア種類やフォーマット情報に変換すべきかを、Ｓ１０２のメディアの変換先の指定により設定する。このメディアの変換先の指定は、図２６に示すメディア変換テーブル１９を参照して指定することで実行されるが、利用者が入力パネル１８１から任意に指定してもよいし、自動的にデフォルトの指定がなされるようにしてもよい。
【０１２０】
メディア変換テーブル１９は、変換元のメディアと変換後のメディアを対応付けたテーブルであり、変換元の断片データ４００（データ部２０６）が文字，音声，画像の各メディア種類２０４である場合に、それを変換先の文字，音声，画像の各メディア種類に変換する際の、データ変換処理の内容が示されている。このようなメディア変換テーブル１９を参照して、例えば、変換元の断片データ４００（データ部２０６）のメディア種類２０４が「音声」に対して、変換先として「文字」を指定する。すると、メディア種類２０４が「音声」の断片データ４００（データ部２０６）は、「音声認識」の処理がなされて「文字」のデータに変換された後に統合ファイル６００として編集される。同様に、メディア種類２０４が「画像」や「音声」についても、変換先のメディア種類を指定する。また、変換元の断片データ４００（データ部２０６）のフォーマット情報２０５についても、変換先のフォーマット情報を指定する。
【０１２１】
次に、序文作成処理（Ｓ１０３）、主文作成処理（Ｓ１０４）、跋文作成処理（Ｓ１０５）、補足文作成処理（Ｓ１０６）が実行される。これらは、各々「序文」、「主文」、「跋文」、「補足文」の４つのセクションを作成する処理であるが、その処理内容は共通しているため、以下では「Ｘ文」作成処理として説明する。
【０１２２】
図２７に示すように、「Ｘ文」作成処理では、まず空の「Ｘ文」構成リスト９１０が作成される（Ｓ１２１）。この「Ｘ文」作成処理が序文作成処理（Ｓ１０３）であれば、「Ｘ文」構成リスト９１０は序文構成リストとなる。次に、編集ルールテーブル２０から分類「Ｘ文」のコンテクスト値及び優先編集順序が取得される（Ｓ１２２）。編集ルールテーブル２０は、複数の断片データ４００が編集される規則や順序を示す編集ルールを示すものである。図２８に示すように、編集ルールテーブル２０は、統合ファイルのセクションを示す分類２０ａ、断片データ４００のコンテクスト値２０ｂ、統合ファイル編集時における優先順序を定めた優先編集順序２０ｃを、データ項目として備えている。Ｓ１２２では、編集ルールテーブル２０から「Ｘ文」に対応する分類２０ａをもとに、コンテクスト値２０ｂ及び優先編集順序２０ｃが取得される。例えば、「Ｘ文」が序文である場合、コンテクスト値２０ｂとして「７０以上８０未満」が、優先編集順序２０ｃとして「コンテクスト値昇順>作成時間順」が取得される。
【０１２３】
次に、Ｓ１２２で取得されたコンテクスト値２０ｂに基づいて、下限閾値と上限閾値がセットされる（Ｓ１２３）。コンテクスト値２０ｂのうち、最小値が下限閾値に、最大値が上限閾値に、それぞれセットされる。例えば、「Ｘ文」が序文である場合、コンテクスト値２０ｂ「７０以上８０未満」であるから、下限閾値「７０」、上限閾値「８０」となる。
【０１２４】
その後、断片データリスト９００の全てのファイルについてチェックしたか否かが判定される（Ｓ１２４）。その結果、チェックしていないと判定された場合は（Ｓ１２４：ＮＯ）、そのチェックしていない断片データ４００のコンテクストデータ部３０４からコンテクスト値が取得される（Ｓ１２５）。そして、そのコンテクスト値と下限閾値とを比較して、そのコンテクスト値が下限閾値以上であるか否かが判定され（Ｓ１２６）、下限閾値以上であると判定された場合は（Ｓ１２６：ＹＥＳ）、さらにそのコンテクスト値と上限閾値とを比較して、そのコンテクスト値が上限閾値未満であるか否かが判定される（Ｓ１２７）。すなわち、断片データ４００に含まれるコンテクスト値が、コンテクスト値２０ｂで示される値に含まれるか否かが判定される。
【０１２５】
その結果、断片データ４００に含まれるコンテクスト値が下限閾値以上と判定され（Ｓ１２６：ＹＥＳ）、かつ上限閾値未満であると判定された場合は（Ｓ１２７：ＹＥＳ）、断片データリスト９００から当該断片データ４００が削除されて（Ｓ１２８）、当該断片データ４００が「Ｘ文」構成リスト９１０に追加される（Ｓ１２９）。一方、断片データ４００に含まれるコンテクスト値が下限閾値未満と判定され（Ｓ１２６：ＮＯ）、または上限閾値以上であると判定された場合は（Ｓ１２７：ＮＯ）、Ｓ１２４へ戻る。これにより、断片データリスト９００に登録された全ての断片データ４００について、Ｓ１２４〜Ｓ１２９の処理が実行される。
【０１２６】
断片データリスト９００の全てのファイルについてチェックしたと判定された場合（Ｓ１２４：ＹＥＳ）、Ｓ１２２で取得された優先編集順序２０ｃに基づいて、優先編集順序がセットされ（Ｓ１３０）、この優先編集順序に従って、「Ｘ文」構成リスト９１０に追加された断片データ４００のソートが実行される（Ｓ１３１）。例えば、Ｓ１２４〜Ｓ１２９の処理によって、ｍ個の断片データ４００が「Ｘ文」構成リスト９１０に追加されている場合に、優先編集順序「コンテクスト値昇順>作成時間順」でソートが実行される。すると、図２９に示すように、断片データファイル名９１０ｃに追加されたｍ個の断片データ４００は、コンテクスト値９１０ａを第１キーとして昇順にソートされ、また、コンテクスト値が同じ場合には作成時間９１０ｂを第２キーとしてソートされる。
【０１２７】
次に、断片データ記憶エリア１４４に保存されている断片データ４００のうち、「Ｘ文」構成リスト９１０に追加されたものについて、メディア変換テーブル１９に基づいてメディア変換処理が実行される（Ｓ１３２）。具体的には、該当する断片データ４００（データ部２０６）のメディア種類２０４及びフォーマット情報２０５を取得して、メディア変換テーブル１９を参照して、データ変換処理の内容を取得する。そして、断片データ４００（データ部２０６）は、このデータ変換処理に従ってデータ変換が実行され、変換先のメディア種類及びフォーマット情報のデータが取得される。例えば、変換元の断片データ４００（データ部２０６）のメディア種類２０４「音声」で及びフォーマット情報２０５「ＭＰＥＧ」である場合には、メディア変換テーブル１９に基づいて「音声認識」の処理がなされて、変換先のメディア種類「文字」及びフォーマット情報「ＴＸＴ」のデータに変換される。
【０１２８】
このように、「Ｘ文」構成リスト９１０に登録されている断片データ４００が、統合ファイル作成処理（図２４）のＳ１０２で指定されたメディアに変換された後、Ｓ１３１でソートされた順序に従って１つの縫合データとして編集される縫合処理が実行される（Ｓ１３３）。この「Ｘ文」作成処理が、序文作成処理（Ｓ１０３）である場合、Ｓ１３３の縫合処理で序文データが作成される。同様に、主文作成処理（Ｓ１０４）では主文データが、跋文作成処理（Ｓ１０５）では跋文データが、補足文作成処理（Ｓ１０６）では補足文データが、それぞれ作成される。
【０１２９】
図２４に戻り、統合ファイルの各セクション毎（序文，主文，跋文，補足文）の縫合データが作成されたら、それらをさらに縫合する処理が行われる。まず、序文データと主文データとを１つの縫合データに編集する縫合処理が実行される（Ｓ１０７）。この時、編集される順序は、序文データが先、主文データが後となるように縫合されて、（序文＋主文）データが作成される。同様に、跋文データと補足文データとを１つの縫合データに編集する縫合処理が実行されて（Ｓ１０８）、（跋文＋補足文）データが作成される。
【０１３０】
最後に、（序文＋主文）データと（跋文＋補足文）データとを縫合して、１つの統合ファイルを作成する縫合処理が実行される（Ｓ１０９）。この時、編集される順序は、（序文＋主文）データが先、（跋文＋補足文）データが後となるように縫合されて、（序文＋主文＋跋文＋補足文）というセクション構成の統合ファイルが作成される。Ｓ１０９で作成された統合ファイル６００は、ＨＤＤ１４０の統合ファイル記憶エリア１４５に保存される（Ｓ１１０）。
【０１３１】
図３０に示すように、統合ファイル６００は、データの各種特性を示す詳細情報が格納された統合ファイルヘッダー部６０１と、データの本体部である統合ファイルデータ部６０７とから構成される。統合ファイルヘッダー部６０１には、統合ファイルヘッダー部６０１のサイズ情報６０２と、統合データ部６０９のサイズ情報６０３と、統合コンテクストデータ部６０８のサイズ情報６０４とが含まれている。さらに、統合ファイルヘッダー部６０１には、統合断片データヘッダー部６０５と、断片データ４００の個数６０６とが含まれ、断片データ４００の個数６０６で示されたｎ個分の断片データヘッダー部４０１が存在する。
【０１３２】
断片データヘッダー部４０１には、当該断片データ４００の作成時刻情報４０３，データ部２０６のサイズ情報２０３，データ部２０６のメディア種類２０４，データ部２０６のフォーマット情報２０５，コンテクストデータ部３０４のサイズ情報３０３が含まれている。また、統合ファイルデータ部６０７には、統合コンテクストデータ部６０８と、統合データ部６０９とが含まれており、それぞれ断片データ４００のｎ個分のコンテクストデータ部３０４とデータ部２０６とが格納されている。なお、先述の断片データ４００と、実質的に同一のデータには同一符号が付与されている（図２３参照）。
【０１３３】
以上のように、複数の断片データ４００が含まれた１つの統合ファイル６００が作成される。そして、統合ファイル６００においては、複数の断片データ４００が各セクション毎（序文，主文，跋文，補足文）に、「Ｘ文」構成リスト９１０でソートされた順序で編集されている。すなわち、統合ファイル６００は、利用者のコンテクストに対応した順序や規則によって、各断片データ４００が編集されたものであり、この統合ファイル６００は断片情報２００の入力時における利用者のコンテクストを反映した内容及び構成となっている。
【０１３４】
すなわち、第１の実施の形態の統合ファイル作成システムによれば、携帯端末装置７では、計測間隔時間毎に最新の利用者のコンテクスト情報３００が取得される。利用者が外部の入力装置等において断片情報２００を入力すると、各入力装置から断片情報２００が送信されて、断片データ作成装置１により断片情報２００が取得される。すると、断片データ作成装置１から携帯端末装置７へコンテクスト情報３００を要求するリクエスト信号が送信され、携帯端末装置７ではリクエスト信号を受けてコンテクスト情報３００が断片データ作成装置１へ送信される。断片データ作成装置１では、取得された断片情報２００に、受信されたコンテクスト情報３００が付加されて、断片データ４００が作成される。さらに、統合ファイル６００の作成時には、コンテクスト情報３００に基づいて複数の断片データ４００を編集して統合ファイル６００が作成される。
【０１３５】
よって、異なる時間や場所において、外部の入力装置等にて入力された断片情報２００に基づいて、断片データ４００を作成することができ、かつ、各断片データ４００を収集することができる。また、コンテクスト情報３００を付加する機能がない入力装置等にて断片情報２００が入力されても、その断片情報２００とコンテクスト情報３００とが対応付けられた断片データ４００を作成できる。さらに、利用者が携行する携帯端末装置７を小型化及び軽量化して、利用者への負担を低減できることに加え、携帯端末装置７をより簡易な構成にすることができる。
【０１３６】
また、異なる時間や場所において、外部の入力装置等を用いて作成された断片情報２００を、コンテクスト情報３００に基づいて編集して統合ファイル６００を作成することで、利用者の統合ファイル作成の負担と手間を軽減し、利用者のニーズに合致した体裁や順序で統合ファイル６００を作成できる。
【０１３７】
次に、本発明の第２の実施の形態について説明する。第２の実施の形態では、本発明の携帯端末装置、断片データ作成装置、断片データ作成システム及び統合ファイル作成システムの一例として、利用者の体温，発汗，心拍数等（利用者情報）を計測する各種センサが接続された携帯端末装置７と、コンテクスト情報を記憶する記憶装置８と、独立して存在する携帯電話やＰＤＡなどの入力装置等と接続可能である断片データ作成装置１とが、無線又は有線のネットワークを介して接続されたシステムについて、以下説明する。
【０１３８】
まず、図３１及び図３２を参照して、第２の実施の形態に係る統合ファイル作成システムの構成について説明する。図３１は、記憶装置８の構成を示すブロック図である。図３２は、第２の実施の形態における、統合ファイル作成システムの構成を機能別に示す機能ブロック図である。
【０１３９】
図３１に示すように、記憶装置８にはＣＰＵ８１０，ＲＯＭ８２０，ＲＡＭ８３０，ＨＤＤ８４０，ディスプレイ８６１が接続された表示制御部８６０，マイク８７１及びスピーカ８７２が接続された音声制御部８７０，マウス８８１及びキーボード８８２が接続された入力検知部８８０が、バス８１５を介して具備されている。このような記憶装置８の構成は、通常のコンピュータ機器の構成として公知のものであるから、詳細は省略する。また、記憶装置８には、携帯端末装置７からコンテクスト情報３００を受信した日時を計測するためのタイマ８９０と、携帯端末装置７及び断片データ作成装置１と有線又は無線のネットワークを介して接続するための通信制御部８９１とを備える。なお、第２の実施の形態における携帯端末装置７は、図２に示す携帯端末装置７と同じ構成であり、第２の実施の形態における断片データ作成装置１は、図３に示す断片データ作成装置１と同じ構成である。
【０１４０】
図３２に示すように、第２の実施の形態における機能ブロック図は、携帯端末装置７，記憶装置８，断片データ作成装置１で全体の機能を構成している点で、第１の実施の形態における機能ブロック図（図６）と異なる。すなわち、携帯端末装置７は、コンテクスト情報作成手段１４により作成されたコンテクスト情報３００を記憶装置８へ送信するコンテクスト情報送信手段２８を具備している。一方、記憶装置８は、コンテクスト情報送信手段２８から送信されたコンテクスト情報３００を受信するコンテクスト情報受信手段２９を具備している。このコンテクスト情報受信手段２９により受信されたコンテクスト情報３００は、コンテクスト情報受信タイマ３５によりコンテクスト情報３００が受信された日時情報（コンテクスト情報受信日時情報）が付加されて、コンテクスト情報記憶手段３０に保存される。
【０１４１】
一方、断片データ作成装置１では、断片情報取得手段２５により断片情報が取得されると、断片情報取得タイマ３６により断片情報２００が取得された日時情報（断片情報取得日時情報）が取得される。この断片情報取得日時情報が付加されたリクエスト信号が、リクエスト信号送信手段３１により記憶装置８に送信される。記憶装置８では、リクエスト信号がリクエスト信号受信手段３２により受信されると、第２のコンテクスト情報送信手段３３により、コンテクスト情報が断片データ作成装置１へ送信される。この時、断片情報取得日時情報と一致又は近似するコンテクスト情報受信日時情報に対応するコンテクスト情報が、断片データ作成装置１へ送信される。
【０１４２】
断片データ作成装置１では、記憶装置８から送信されたコンテクスト情報が、第２のコンテクスト情報受信手段３４により受信される。そして、断片データ作成手段１５により、断片情報にコンテクスト情報が付加されて断片データが作成される。作成された断片データは、断片データ記憶手段１６に記憶される。
【０１４３】
なお、記憶装置８において、通信制御部８９１が、本発明の「コンテクスト情報受信手段」２９，「リクエスト信号受信手段」３２，「第２のコンテクスト情報送信手段」３３に相当し、タイマ８９０が、本発明の「コンテクスト情報受信タイマ」３５に相当する。また、本発明の「コンテクスト情報記憶手段」３０として、ＲＡＭ８３０に複数のコンテクスト情報３００を保存するための記憶領域としてコンテクスト情報記憶エリア（図示しない）が設けられている。また、断片データ作成装置１において、モデム１９５が、本発明の「リクエスト信号送信手段」３１及び「第２のコンテクスト情報受信手段」３４に相当し、タイマ１９０が、本発明の「断片情報取得タイマ」３６に相当する。
【０１４４】
このような構成において、携帯端末装置７では、第１の実施の形態と同様に、［１］コンテクスト推定処理が実行されて、コンテクスト情報３００が作成されると、そのコンテクスト情報３００はモデム１９５によりネットワークを介して記憶装置８へ送信される。記憶装置８では、携帯端末装置７から送信されたコンテクスト情報３００が通信制御部８９１により受信されて、ＲＡＭ８３０のコンテクスト情報記憶エリア（図示せず）に保存されるように制御される。この時、タイマ８９０により計測されたコンテクスト情報３００の受信日時を示すコンテクスト情報受信日時情報と対応付けて、コンテクスト情報３００がコンテクスト情報記憶エリアに保存される。
【０１４５】
一方、断片データ作成装置１では、第１の実施の形態と同様に、［２］断片情報取得処理と［３］断片データ作成処理とが実行されるが、断片データ作成処理（図２０）のリクエスト実行処理（Ｓ７４）が、第１の実施の形態のもの（図２１）とは異なる。
【０１４６】
図３３は、第２の実施の形態における、コンテクスト情報のリクエスト実行処理（Ｓ７４）の詳細を示すフローチャートである。図３３に示すように、断片データ作成装置１では、タイマ７９０を参照して断片情報２００の取得日時を示す断片情報取得日時情報が取得される（Ｓ２２１）。そして、コンテクスト情報のリクエスト信号に断片情報取得日時情報が付加されて、このリクエスト信号が記憶装置８へ送信される（Ｓ２２２）
【０１４７】
コンテクスト情報のリクエスト信号を受信すると（Ｓ２２３）、記憶装置８では、リクエスト信号に付加されている断片情報取得日時情報に基づいて、コンテクスト情報３００がＲＡＭ８３０のコンテクスト情報記憶エリアから検索される（Ｓ２２４）。すなわち、断片情報取得日時情報と一致または近似するコンテクスト情報受信日時情報が検索されて、そのコンテクスト情報受信日時情報に対応するコンテクスト情報３００が検索される。そして、検索されたコンテクスト情報３００が、ＲＡＭ８３０のコンテクスト情報記憶エリアから読み出され（Ｓ２２５）、このコンテクスト情報３００は要求元の断片データ作成装置１に送信される（Ｓ２２６）。
【０１４８】
断片データ作成装置１では、記憶装置８から送信されたコンテクスト情報３００を受信すると（Ｓ２２７）、このコンテクスト情報３００はＲＡＭ１３０の入力情報記憶エリア１３２（図４参照）に保存される（Ｓ２２８）。
【０１４９】
そして、［３］断片データ作成処理の終了後は、第１の実施の形態と同様に、［４］統合ファイル作成処理が実行されて、断片データ作成装置１ではネットワークを介して収集された複数の断片データ４００をもとに統合ファイル６００が作成される。
【０１５０】
以上のように、コンテクスト情報３００を保存する記憶装置８を設けて、携帯端末装置７で作成されたコンテクスト情報３００は、記憶装置８に保存されるようにして、断片データ作成装置１はリクエスト信号を記憶装置８に送信することで、最新の利用者のコンテクスト情報３００を取得することができる。
【０１５１】
第２の実施の形態によれば、コンテクスト情報３００を保存する記憶装置８を設けて、断片データ作成装置１，携帯端末装置７，記憶装置８がネットワークを介して接続された構成としたので、携帯端末装置７にコンテクスト情報３００の記憶手段を保持する必要がなく、記憶装置８において複数のコンテクスト情報３００を一元管理できる。また、断片データ作成装置１は携帯端末装置７に問い合わせなくても、記憶装置８にリクエスト信号を送信することで、取得した断片情報２００に対応するコンテクスト情報３００を取得することができる。また、携帯端末装置７の構成を最小限のものとして、携帯端末装置７を小型化、軽量化することができる。
【０１５２】
なお、本実施の形態において、記憶装置８では、タイマ８９０を参照してコンテクスト情報受信日時情報を取得し、コンテクスト情報３００と対応付けてコンテクスト情報記憶エリアに記憶させている。このコンテクスト情報受信日時情報に代えて、携帯端末装置７においてコンテクスト情報の作成時にタイマ７９０を参照して日時情報を取得し、このコンテクスト情報作成日時情報をコンテクスト情報に付加するようにしてもよい。
【０１５３】
また、本実施の形態において、断片データ作成装置１では、タイマ１９０を参照して断片情報取得日時情報を取得し、リクエスト信号に付加して記憶装置８へ送信している。この断片情報取得日時情報に代えて、断片データ作成装置１においてリクエスト信号の送信時にタイマ１９０を参照して日時情報を取得し、このリクエスト送信日時情報をリクエスト信号に付加するようにしてもよい。
【０１５４】
次に、第３の実施の形態について説明する。第３の実施の形態では、本発明の携帯端末装置、断片データ作成装置、断片データ作成システム及び統合ファイル作成システムの一例として、携帯端末装置７に利用者がコンテクスト情報３００の送信を指示するための送信スイッチを設けたシステムについて、以下説明する。
【０１５５】
まず、図３４を参照して、第３の実施の形態に係る統合ファイル作成システムの構成について説明する。図３４は、第３の実施の形態における、統合ファイル作成システムの構成を機能別に示す機能ブロック図である。
【０１５６】
図３４に示すように、第３の実施の形態における機能ブロック図は、第１の実施の形態における機能ブロック図（図６）と基本的に同一であるが、利用者がコンテクスト情報の送信を指示するためのコンテクスト情報送信指示手段４０が、携帯端末装置７に設けられている点で異なる。なお、携帯端末装置７の入力パネル７８１に設けられた送信スイッチ（図示しない）が、本発明の「コンテクスト情報送信指示手段」４０に相当する。
【０１５７】
このような構成において、携帯端末装置７では、第１の実施の形態と同様に、コンテクスト情報３００のリクエスト信号が受信されたら、コンテクスト情報３００が断片データ作成装置１へ送信される。さらに、利用者が入力パネル７８１に設けられた送信スイッチ（図示しない）を押下する等して、コンテクスト情報３００の送信が指示された場合も、コンテクスト情報３００の断片データ作成装置１への送信が実行される。具体的には、利用者はＰＤＡ２等の外部の入力装置等（図１参照）から、断片情報２００を入力すると同時に、携帯端末装置７の送信スイッチを押下する。
【０１５８】
すると、断片データ作成装置１では、断片情報２００が取得されると同時に、携帯端末装置７から送信されたコンテクスト情報３００が受信される。よって、断片情報２００とコンテクスト情報３００の両者を対応付けて断片データ４００が作成されて、さらに統合ファイル６００が作成される。
【０１５９】
本実施の形態の統合ファイル作成システムにおける処理の流れは、第１の実施の形態における処理の流れと基本的に同一である。しかし、携帯端末装置７の起動中は、以下の処理（図３５）が実行される点で異なる。また、断片データ作成処理（図２０）のリクエスト実行処理（Ｓ７４）が、第１の実施の形態のもの（図２１）とは異なる。図３５は、第３の実施の形態における、携帯端末装置７の起動中の処理を示すフローチャートである。図３６は、第３の実施の形態における、コンテクスト情報のリクエスト実行処理（Ｓ７４）の詳細を示すフローチャートである。
【０１６０】
図３５に示すように、携帯端末装置７の起動中は、コンテクスト情報３００のリクエスト信号を、断片データ作成装置１から受信したか否かが判定される（Ｓ２４１）。リクエスト信号を受信している場合（Ｓ２４１：ＹＥＳ）、コンテクスト情報３００の送信処理が実行される（Ｓ２４３）。コンテクスト情報３００の送信処理は、リクエスト実行処理（図２１）のＳ２０２〜２０４と同じである。
【０１６１】
リクエスト信号を受信していない場合は（Ｓ２４１：ＮＯ）、携帯端末装置７の送信スイッチが押下されたか否かが判定され（Ｓ２４２）、送信スイッチが押下されている場合（Ｓ２４２：ＹＥＳ）、同様にコンテクスト情報３００の送信処理が実行される（Ｓ２４３）。
【０１６２】
一方、リクエスト信号を受信しておらず（Ｓ２４１：ＮＯ）、かつ送信スイッチも押下されていない場合は（Ｓ２４２：ＮＯ）、一定時間のウエイトがなされた後（Ｓ２４４）、Ｓ２４１に戻る。これにより、リクエスト信号の受信時又は送信スイッチの押下時には、携帯端末装置７から断片データ作成装置１へコンテクスト情報３００が送信される。
【０１６３】
他方、図３６に示すように、断片データ作成装置１では、コンテクスト情報３００の受信があるか否かが判定される（Ｓ２６１）。このコンテクスト情報３００は、リクエスト信号によるもの及び送信スイッチによるものの両方が含まれる。そして、コンテクスト情報３００の受信がない場合は（Ｓ２６１：ＮＯ）、コンテクスト情報３００のリクエスト信号の送信が実行されて（Ｓ２６２）、Ｓ２６１に戻る。コンテクスト情報３００の受信がある場合は（Ｓ２６１：ＹＥＳ）、そのコンテクスト情報３００がＲＡＭ１３０の入力情報記憶エリア１３２（図４参照）に保存される（Ｓ２６３）。
【０１６４】
これにより、携帯端末装置７で送信スイッチが押下されて、断片データ作成装置１でコンテクスト情報３００が受信されていれば、そのコンテクスト情報３００が入力情報記憶エリア１３２に保存される。コンテクスト情報３００が受信されていなければ、リクエスト信号を送信して、携帯端末装置７に対してコンテクスト情報３００を要求する。よって、断片データ作成装置１は、携帯端末装置７からコンテクスト情報３００を取得することができる。
【０１６５】
第３の実施の形態によれば、携帯端末装置７に、利用者がコンテクスト情報３００の送信を指示するための送信スイッチを設けたので、利用者は任意のタイミングでコンテクスト情報３００を送信することができる。そして、入力装置等で入力された断片情報２００と、携帯端末装置７から受信したコンテクスト情報３００とを、確実に対応付けて断片データ４００を作成することができる。
【０１６６】
ところで、上記「第１の実施の形態」〜「第３の実施の形態」においては、先述のように、統合ファイル作成プログラムを実行して上記のフローチャートを処理するＣＰＵ１１０（ＣＰＵ７１０）が、本発明の「断片情報取得手段」２５，「コンテクスト推定手段」１２，「コンテクスト情報作成手段」１４，「断片データ作成手段」１５，「統合ファイル作成手段」１７，「メディア変換手段」１８に相当する。より詳細には、断片情報取得処理（図１５〜図１８）を実行するＣＰＵ１１０が、「断片情報取得手段」２５に相当する。また、コンテクスト推定処理（図８）を実行するＣＰＵ７１０が、「コンテクスト推定手段」１２に相当し、コンテクスト推定処理（図８）のＳ１７及びＳ１８を実行するＣＰＵ７１０が、「コンテクスト情報作成手段」１４に相当する。また、断片データ作成処理（図２０）を実行するＣＰＵ１１０が、「断片データ作成手段」１５に相当する。また、統合ファイル作成処理（図２４）を実行するＣＰＵ１１０が、「統合ファイル作成手段」１７に相当し、「Ｘ文」作成処理（図２７）のＳ１３２を実行するＣＰＵ１１０が、「メディア変換手段」１８に相当する。
【０１６７】
また、コンテクスト情報３００は、本発明の「付加情報」に相当する。よって、携帯端末装置７の通信制御部７９１が、本発明の「付加情報送信手段」に相当し、携帯端末装置７のＲＡＭ７３０（記憶装置８のＲＡＭ８３０）のコンテクスト情報記憶エリアが、本発明の「付加情報記憶手段」に相当し、入力パネル８７１に設けられた送信スイッチが、本発明の「付加情報送信指示手段」に相当し、断片データ作成装置１のモデム１９５が、本発明の「付加情報受信手段」に相当する。
【０１６８】
なお、本発明は、以上詳述した「第１の実施の形態」〜「第３の実施の形態」に限定されるものではなく、各種の変形が可能なことはいうまでもない。
【０１６９】
例えば、上記実施の形態では、利用者のコンテクストとして「感動」である場合を例に説明しているが、コンテクストは、利用者の感情や利用者を取り巻く状況等であればよい。コンテクストしては、「感動」，「悲しみ」，「怒り」，「楽しさ」，「賑やかさ」，「忙しさ」等の様々なものが適用可能であり、各コンテクストに対応するコンテクスト定義テーブル１３が設定されればよい。例えば、利用者のコンテクスト「悲しみ」に基づいて、統合ファイルを編集したい場合は、コンテクスト「悲しみ」に対応するコンテクスト定義テーブル１３が設定されればよい。
【０１７０】
また、コンテクスト定義テーブル１３には、あらかじめ任意のコンテクストについてのテーブルが利用者又は設計者によって設定されていてもよいし、複数のコンテクストの各々に対応する複数のテーブルがコンテクスト定義テーブル１３にあらかじめ設定されており、コンテクスト推定処理（図８）において、自動的に最適なテーブルがコンテクスト定義テーブル１３から選択されるようにしてもよい。
【０１７１】
また、統合ファイル作成処理（図２４）において、複数の断片データ４００がどのような内容及び構成で編集されて統合ファイル６００が作成されるかも、利用者又は設計者が任意に設定可能である。例えば、断片データ４００に含まれるコンテクストデータ部３０４（図２３参照）には、コンテクスト種別１３ａとコンテクスト値１３ｃが示されているから（図１２参照）、各コンテクスト種別１３ａのそれぞれについて断片データ４００が編集されてもよい。また、コンテクスト値１３ｃについて昇順又は降順にソートされるように編集されてもよい。
【０１７２】
また、キャリブレーション処理（図９）では、サンプリング値を測定してその平均値を基準値として算定しているが、サンプリング値の時系列データを取得して、その推移の特徴に基づいて基準値を算定するようにしてもよい。また、異常なサンプリング値は除外して基準値を算定するようにしてもよい。また、推定処理（図１１）における各センサの増分値と閾値との比較処理（Ｓ４２，Ｓ４４，Ｓ４６）では、各センサ毎に変化閾値εを設けておき、閾値を変化閾値εで補正した補正値で、増分値との比較を実行してもよい。
【０１７３】
また、各センサから計測される利用者情報は、体温、発汗及び心拍数に限定されないことはいうまでもない。例えば、利用者の振動、脳波、呼吸、加速度、傾き、バイオリズムなどを利用者情報として計測するようにしてもよい。
【産業上の利用可能性】
【０１７４】
本発明の携帯端末装置、断片データ作成装置、断片データ作成システム及び統合ファイル作成システムは、利用者のコンテクストに基づいて断片データ及び統合ファイルを作成するコンピュータ機器に適用できる。
【図面の簡単な説明】
【０１７５】
【図１】統合ファイル作成システムの概要を示す図である。
【図２】携帯端末装置７の構成を示すブロック図である。
【図３】断片データ作成装置１の構成を示すブロック図である。
【図４】断片データ作成装置１のＲＡＭ１３０の記憶エリアの構成を示す概念図である。
【図５】断片データ作成装置１のＨＤＤ１４０の記憶エリアの構成を示す概念図である。
【図６】統合ファイル作成システムの構成を機能別に示す機能ブロック図である。
【図７】統合ファイル作成システムにおけるデータ構成の変遷を示す図である。
【図８】コンテクスト推定処理のメインフローチャートである。
【図９】キャリブレーション処理（Ｓ１４）の詳細を示すフローチャートである。
【図１０】計測処理（Ｓ１５）の詳細を示すフローチャートである。
【図１１】推定処理（Ｓ１６）の詳細を示すフローチャートである。
【図１２】コンテクスト定義テーブル１３の概要を示す図である。
【図１３】Ｓ１７で作成されたコンテクスト情報３００のデータ構成を示す図である。
【図１４】入力装置等の種類とメディア種類とに応じた断片情報取得方法を説明するためのテーブル図である。
【図１５】ファイル転送による断片情報取得処理の詳細を示すフローチャートである。
【図１６】Ｗｅｂサーバ経由による断片情報取得処理の詳細を示すフローチャートである。
【図１７】Ｍａｉｌサーバ経由による断片情報取得処理の詳細を示すフローチャートである。
【図１８】ＦＡＸゲートウエイ又はＰＳＴＮゲートウエイ経由による断片情報取得処理の詳細を示すフローチャートである。
【図１９】断片情報２００のデータ構成を示す図である。
【図２０】断片データ作成処理のメインフローチャートである。
【図２１】コンテクスト情報のリクエスト実行処理（Ｓ７４）の詳細を示すフローチャートである。
【図２２】断片データ作成実行処理（Ｓ７５）の詳細を示すフローチャートである。
【図２３】断片データ４００のデータ構成を示す図である。
【図２４】統合ファイル作成処理のメインフローチャートである。
【図２５】断片データリスト９００のデータ構成を示す図である。
【図２６】メディア変換テーブル１９の概要を示す図である。
【図２７】「Ｘ文」作成処理（Ｓ１０３，Ｓ１０４，Ｓ１０５，Ｓ１０６）の詳細を示すフローチャートである。
【図２８】編集ルールテーブル２０のデータ構成を示す図である。
【図２９】「Ｘ文」構成リスト９１０のデータ構成を示す図である。
【図３０】統合ファイル６００のデータ構成を示す図である。
【図３１】記憶装置８の構成を示すブロック図である。
【図３２】第２の実施の形態における、統合ファイル作成システムの構成を機能別に示す機能ブロック図である。
【図３３】第２の実施の形態における、コンテクスト情報のリクエスト実行処理（Ｓ７４）の詳細を示すフローチャートである。
【図３４】第３の実施の形態における、統合ファイル作成システムの構成を機能別に示す機能ブロック図である。
【図３５】携帯端末装置７の起動中の処理を示すフローチャートである。
【図３６】第３の実施の形態における、コンテクスト情報のリクエスト実行処理（Ｓ７４）の詳細を示すフローチャートである。
【符号の説明】
【０１７６】
１    断片データ作成装置
２    ＰＤＡ
３    携帯電話機
４    デジタルカメラ
５    ＦＡＸ
６    固定電話
７    携帯端末装置
８    記憶装置
１０    入力手段
１１    センサ
１２    コンテクスト推定手段
１３    コンテクスト定義テーブル
１４    コンテクスト情報作成手段
１５    断片データ作成手段
１６    断片データ記憶手段
１７    統合ファイル作成手段
１８    メディア変換手段
１９    メディア変換テーブル
２０    編集ルールテーブル
２１    統合ファイル記憶手段
２４    インタフェース手段
２５    断片情報取得手段
２８    コンテクスト情報送信手段
２９    コンテクスト情報受信手段
３０    コンテクスト情報記憶手段
３１    リクエスト信号送信手段
３２    リクエスト信号受信手段
３３    第２のコンテクスト情報送信手段
３４    第２のコンテクスト情報受信手段
３５    コンテクスト情報受信タイマ
３６    断片情報取得タイマ
４０    コンテクスト情報送信指示手段
１１０      ＣＰＵ
１１５      バス
１２０      ＲＯＭ
１３０      ＲＡＭ
１４０      ＨＤＤ
１５０    ＵＳＢインタフェース
１６０    表示制御部
１６１    ディスプレイ
１７０    音声制御部
１７１    マイク
１７２    スピーカ
１８０    入力検知部
１８１    入力パネル
１９０    タイマ
１９５    モデム
１９６      アンテナ
２００    断片情報
３００    コンテクスト情報
４００    断片データ
６００    統合ファイル
７１０      ＣＰＵ
７１５      バス
７２０      ＲＯＭ
７３０      ＲＡＭ
７４０      ＨＤＤ
７８０    入力検知部
７８１    入力パネル
７８２    体温センサ
７８３    発汗センサ
７８４    心拍数センサ
７９０    タイマ
７９１    通信制御部
７９２    アンテナ
９００      断片データリスト
９１０      「Ｘ文」構成リスト
【図１】
2005222502.tif 000003
【図２】
2005222502.tif 000004
【図３】
2005222502.tif 000005
【図４】
2005222502.tif 000006
【図５】
2005222502.tif 000007
【図６】
2005222502.tif 000008
【図７】
2005222502.tif 000009
【図８】
2005222502.tif 000010
【図９】
2005222502.tif 000011
【図１０】
2005222502.tif 000012
【図１１】
2005222502.tif 000013
【図１２】
2005222502.tif 000014
【図１３】
2005222502.tif 000015
【図１４】
2005222502.tif 000016
【図１５】
2005222502.tif 000017
【図１６】
2005222502.tif 000018
【図１７】
2005222502.tif 000019
【図１８】
2005222502.tif 000020
【図１９】
2005222502.tif 000021
【図２０】
2005222502.tif 000022
【図２１】
2005222502.tif 000023
【図２２】
2005222502.tif 000024
【図２３】
2005222502.tif 000025
【図２４】
2005222502.tif 000026
【図２５】
2005222502.tif 000027
【図２６】
2005222502.tif 000028
【図２７】
2005222502.tif 000029
【図２８】
2005222502.tif 000030
【図２９】
2005222502.tif 000031
【図３０】
2005222502.tif 000032
【図３１】
2005222502.tif 000033
【図３２】
2005222502.tif 000034
【図３３】
2005222502.tif 000035
【図３４】
2005222502.tif 000036
【図３５】
2005222502.tif 000037
【図３６】
2005222502.tif 000038